(57)【要約】  第１の映像フォーマットに従うＨＤＲ映像信号を、第２の映像フォーマットに従うＨＤＲ映像信号に変換しても、元の第１の映像フォーマットに従うＨＤＲ映像信号に関連する付帯情報が失われない映像信号変換装置を実現する。映像信号変換装置（１または４０）は、第１の映像フォーマットに従う高ダイナミックレンジ映像信号を、第２の映像フォーマットに従う高ダイナミックレンジ映像信号に変換する変換部（５）と、前記第１の映像フォーマットに従う高ダイナミックレンジ映像信号に関連する付帯情報を出力する出力部（１２）と、を備えている。
2018012244.tif 000002
【特許請求の範囲】
【請求項１】
第１の映像フォーマットに従う高ダイナミックレンジ映像信号を、第２の映像フォーマットに従う高ダイナミックレンジ映像信号に変換する変換部と、
前記第１の映像フォーマットに従う高ダイナミックレンジ映像信号に関連する付帯情報を出力する出力部と、を備えていることを特徴とする、映像信号変換装置。
【請求項２】
前記第１の映像フォーマットの輝度方式は、絶対輝度方式であり、
前記第２の映像フォーマットの輝度方式は、相対輝度方式であることを特徴とする、請求項１に記載の映像信号変換装置。
【請求項３】
前記第１の映像フォーマットに従う高ダイナミックレンジ映像信号から、前記第２の映像フォーマットに従う高ダイナミックレンジ映像信号に変換されたことを示す記述子を、前記第２の映像フォーマットに従う高ダイナミックレンジ映像信号の前記付帯情報として付加する付加部をさらに備えていることを特徴とする、請求項１または２に記載の映像信号変換装置。
【請求項４】
前記付帯情報はメタ情報を含み、前記メタ情報は、前記第１の映像フォーマットに従う高ダイナミックレンジ映像信号における、最大輝度値、最小輝度値、平均輝度値、白レベル、およびマスターモニターに関連する情報、のうちの少なくとも１つ以上を含むことを特徴とする、請求項１〜３の何れか１項に記載の映像信号変換装置。
【請求項５】
前記出力部は、前記変換部が変換した前記第２の映像フォーマットに従う高ダイナミックレンジ映像信号に、前記付帯情報を重畳して出力し、
前記出力部が付帯情報を重畳して出力した前記第２の映像フォーマットに従う高ダイナミックレンジ映像信号を送信する送信部をさらに備えていることを特徴とする、請求項１〜４の何れか１項に記載の映像信号変換装置。
【請求項６】
前記出力部が出力した前記付帯情報を、前記第２の映像フォーマットに従う高ダイナミックレンジ映像信号を送信する伝送経路とは異なる伝送経路にて送信する通信部をさらに備えていることを特徴とする、請求項１〜４の何れか１項に記載の映像信号変換装置。
【請求項７】
第１の映像フォーマットに従う高ダイナミックレンジ映像信号に関連する付帯情報を取得する取得部と、
前記第１の映像フォーマットに従う高ダイナミックレンジ映像信号から変換された第２の映像フォーマットに従う高ダイナミックレンジ映像信号を、前記付帯情報を参照して、前記第１の映像フォーマットに従う高ダイナミックレンジ映像信号に変換する変換部と、を備えていることを特徴とする、映像信号変換装置。
【請求項８】
前記第１の映像フォーマットの輝度方式は、絶対輝度方式であり、
前記第２の映像フォーマットの輝度方式は、相対輝度方式であることを特徴とする、請求項７に記載の映像信号変換装置。
【請求項９】
前記第１の映像フォーマットに従う高ダイナミックレンジ映像信号から、前記第２の映像フォーマットに従う高ダイナミックレンジ映像信号に変換されたことを示す記述子を、前記第２の映像フォーマットに従う高ダイナミックレンジ映像信号から読み出す読出部をさらに備えていることを特徴とする、請求項７または８に記載の映像信号変換装置。
【請求項１０】
前記読出部が、前記第１の映像フォーマットに従う高ダイナミックレンジ映像信号から変換されたことを示す記述子を、前記第２の映像フォーマットに従う高ダイナミックレンジ映像信号から読み出した場合にのみ、前記変換部は、前記第２の映像フォーマットに従う高ダイナミックレンジ映像信号を、前記付帯情報を参照して、前記第１の映像フォーマットに従う高ダイナミックレンジ映像信号に変換することを特徴とする、請求項９に記載の映像信号変換装置。
【請求項１１】
前記付帯情報はメタ情報を含み、前記メタ情報は、前記第１の映像フォーマットに従う高ダイナミックレンジ映像信号における、最大輝度値、最小輝度値、平均輝度値、白レベル、およびマスターモニターに関連する情報、のうちの少なくとも１つ以上を含むことを特徴とする、請求項７〜１０の何れか１項に記載の映像信号変換装置。
【請求項１２】
前記第２の映像フォーマットに従う高ダイナミックレンジ映像信号に重畳された前記付帯情報を読み出すメタ情報読出部をさらに備えていることを特徴とする、請求項７〜１１の何れか１項に記載の映像信号変換装置。
【請求項１３】
前記第２の映像フォーマットに従う高ダイナミックレンジ映像信号が送信された伝送経路とは異なる伝送経路にて送信された前記付帯情報を受信する通信部をさらに備えていることを特徴とする、請求項７〜１１の何れか１項に記載の映像信号変換装置。
【請求項１４】
請求項７〜１３の何れか１項に記載の映像信号変換装置を備えているテレビジョン受像機。
【請求項１５】
第１の映像フォーマットに従う高ダイナミックレンジ映像信号を、第２の映像フォーマットに従う高ダイナミックレンジ映像信号に変換する変換工程と、
前記第１の映像フォーマットに従う高ダイナミックレンジ映像信号に関連する付帯情報を出力する出力工程と、を含んでいることを特徴とする、映像信号変換方法。
【請求項１６】
第１の映像フォーマットに従う高ダイナミックレンジ映像信号に関連する付帯情報を取得する取得工程と、
前記第１の映像フォーマットに従う高ダイナミックレンジ映像信号から変換された第２の映像フォーマットに従う高ダイナミックレンジ映像信号を、前記付帯情報を参照して、前記第１の映像フォーマットに従う高ダイナミックレンジ映像信号に変換する変換工程と、を含んでいることを特徴とする、映像信号変換方法。
【請求項１７】
第１の映像フォーマットに従う高ダイナミックレンジ映像信号を、第２の映像フォーマットに従う高ダイナミックレンジ映像信号に変換する変換部と、
前記第１の映像フォーマットに従う高ダイナミックレンジ映像信号に関連する付帯情報を出力する出力部と、を備えている、第１の映像信号変換装置、および、
前記第１の映像信号変換装置から、前記第１の映像フォーマットに従う高ダイナミックレンジ映像信号に関連する前記付帯情報を取得する取得部と、
前記第１の映像信号変換装置が変換した前記第２の映像フォーマットに従う高ダイナミックレンジ映像信号を、前記付帯情報を参照して、前記第１の映像フォーマットに従う高ダイナミックレンジ映像信号に変換する変換部と、を備えている、第２の映像信号変換装置、を含んでいることを特徴とする、映像信号変換システム。
【請求項１８】
請求項１に記載の映像信号変換装置としてコンピュータを機能させるための制御プログラムであって、前記変換部および前記出力部としてコンピュータを機能させるための制御プログラム。
【請求項１９】
請求項１８に記載の制御プログラムを記録したコンピュータ読み取り可能な記録媒体。
【発明の詳細な説明】
【技術分野】
【０００１】
本発明は、主に、第１の映像フォーマットに従う映像信号を、第２の映像フォーマットに従う映像信号に変換する映像信号変換装置に関する。
【背景技術】
【０００２】
近年、高ダイナミックレンジ映像信号（以下、ＨＤＲ映像信号）に対応したテレビが普及している。ＨＤＲ規格において、輝度方式として、絶対輝度方式（ＰＱ方式等を含む）および相対輝度方式（ＨＬＧ方式等を含む）を含む複数の規格が存在している。【０００３】
ＨＤＲ映像信号に関連する技術を開示した文献としては、例えば、特許文献１が挙げられる。特許文献１には、高ダイナミックレンジ画像を送受信または表示することができる画像処理装置が記載されている。当該画像処理装置は、ＨＤＲコンテンツをＳＤＲコンテンツに変換する輝度変換情報または差分情報をコンテンツのメタデータとして転送する。
【先行技術文献】
【特許文献】
【０００４】
【特許文献１】日本国公開特許公報「特開２０１６−５８８４８号公報（２０１６年４月２１日公開）」
【発明の概要】
【発明が解決しようとする課題】
【０００５】
上述のように、ＨＤＲ規格として、複数の規格が存在する。そして、これらの規格間の変換では、画質を維持したまま変換する技術が必要とされている。例えば、絶対輝度方式（以下、ＰＱ方式）に従うＨＤＲ映像信号を、相対輝度方式（以下、ＨＬＧ方式）に従うＨＤＲ映像信号に変換した場合、元のＰＱ方式に従うＨＤＲ映像信号に関連する付帯情報（例えば、絶対輝度値等のメタ情報）が失われてしまう。また、ＰＱ方式に従うＨＤＲ映像信号から変換されたＨＬＧ方式に従うＨＤＲ映像信号を、受信機側で、元のＰＱ方式に従うＨＤＲ映像信号に変換する場合、元のＰＱ方式に従うＨＤＲ映像信号の画質を維持することが困難であった。【０００６】
本発明は、上記の問題点に鑑みてなされたものであり、その目的は、第１の映像フォーマットに従うＨＤＲ映像信号を、第２の映像フォーマットに従うＨＤＲ映像信号に変換しても、元の第１の映像フォーマットに従うＨＤＲ映像信号に関連する付帯情報が失われない映像信号変換装置を実現することにある。また、そのような映像信号変換装置が変換した第２の映像フォーマットに従うＨＤＲ映像信号を、元の第１の映像フォーマットに従うＨＤＲ映像信号に変換しても、元の第１の映像フォーマットに従うＨＤＲ映像信号の画質を維持することができる映像信号変換装置を実現することにある。
【課題を解決するための手段】
【０００７】
上記の課題を解決するために、本発明の一態様に係る映像信号変換装置は、第１の映像フォーマットに従う高ダイナミックレンジ映像信号を、第２の映像フォーマットに従う高ダイナミックレンジ映像信号に変換する変換部と、前記第１の映像フォーマットに従う高ダイナミックレンジ映像信号に関連する付帯情報を出力する出力部と、を備えている。【０００８】
また、本発明の一態様に係る映像信号変換装置は、第１の映像フォーマットに従う高ダイナミックレンジ映像信号に関連する付帯情報を取得する取得部と、前記第１の映像フォーマットに従う高ダイナミックレンジ映像信号から変換された第２の映像フォーマットに従う高ダイナミックレンジ映像信号を、前記付帯情報を参照して、前記第１の映像フォーマットに従う高ダイナミックレンジ映像信号に変換する変換部と、を備えている。【０００９】
また、本発明の一態様に係る映像信号変換方法は、第１の映像フォーマットに従う高ダイナミックレンジ映像信号を、第２の映像フォーマットに従う高ダイナミックレンジ映像信号に変換する変換工程と、前記第１の映像フォーマットに従う高ダイナミックレンジ映像信号に関連する付帯情報を出力する出力工程と、を含んでいる。【００１０】
また、本発明の一態様に係る映像信号変換方法は、第１の映像フォーマットに従う高ダイナミックレンジ映像信号に関連する付帯情報を取得する取得工程と、前記第１の映像フォーマットに従う高ダイナミックレンジ映像信号から変換された第２の映像フォーマットに従う高ダイナミックレンジ映像信号を、前記付帯情報を参照して、前記第１の映像フォーマットに従う高ダイナミックレンジ映像信号に変換する変換工程と、を含んでいる。【００１１】
また、本発明の一態様に係る映像信号変換システムは、第１の映像フォーマットに従う高ダイナミックレンジ映像信号を、第２の映像フォーマットに従う高ダイナミックレンジ映像信号に変換する変換部と、前記第１の映像フォーマットに従う高ダイナミックレンジ映像信号に関連する付帯情報を出力する出力部と、を備えている、第１の映像信号変換装置、および、前記第１の映像信号変換装置から、前記第１の映像フォーマットに従う高ダイナミックレンジ映像信号に関連する前記付帯情報を取得する取得部と、前記第１の映像信号変換装置が変換した前記第２の映像フォーマットに従う高ダイナミックレンジ映像信号を、前記付帯情報を参照して、前記第１の映像フォーマットに従う高ダイナミックレンジ映像信号に変換する変換部と、を備えている、第２の映像信号変換装置、を含んでいる。
【発明の効果】
【００１２】
本発明の一態様に係る映像信号変換装置は、第１の映像フォーマットに従うＨＤＲ映像信号を、第２の映像フォーマットに従うＨＤＲ映像信号に変換しても、元の第１の映像フォーマットに従うＨＤＲ映像信号に関連する付帯情報が失われないという効果を奏する。【００１３】
本発明の一態様に係る映像信号変換装置は、第１の映像フォーマットに従うＨＤＲ映像信号から変換された第２の映像フォーマットに従うＨＤＲ映像信号を、元の第１の映像フォーマットに従うＨＤＲ映像信号に変換しても、元の第１の映像フォーマットに従うＨＤＲ映像信号の画質を維持することができるという効果を奏する。
【図面の簡単な説明】
【００１４】
【図１】本発明の映像信号変換装置システムの概略を説明するための図である。
【図２】本発明の実施形態１に係る映像信号変換装置１の構成を示すブロック図である。
【図３】本発明の実施形態１に係る映像信号変換装置１の映像信号変換方法を説明するフローチャートである。
【図４】（ａ）は、ＭＨ−ＥＩＴの一例を示す図である。（ｂ）は、ＭＨ−ＥＩＴの別の例を示す図である。
【図５】本発明の実施形態１に係る映像信号変換装置２０の構成を示すブロック図である。
【図６】本発明の実施形態１に係る映像信号変換装置２０を備えたテレビジョン受像機１００の外観を示す図である。
【図７】本発明の実施形態１に係る映像信号変換装置２０の映像信号変換方法を説明するフローチャートである。
【図８】ＣＥＡ８６１．３で規定されている記述子を示す表である。
【図９】本発明の実施形態１の変型例２に係る映像信号変換装置２０の映像信号変換方法を説明するフローチャートである。
【図１０】本発明の実施形態１の変型例３に係る映像信号変換装置２０の映像信号変換方法を説明するフローチャートである。
【図１１】本発明の実施形態２に係る映像信号変換装置４０の構成を示すブロック図である。
【図１２】本発明の実施形態２に係る映像信号変換装置４０の映像信号変換方法を説明するフローチャートである。
【図１３】本発明の実施形態２に係る映像信号変換装置５０の構成を示すブロック図である。
【図１４】本発明の実施形態２に係る映像信号変換装置５０の映像信号変換方法を説明するフローチャートである。
【図１５】本発明の実施形態３に係る映像信号変換装置２０の映像信号変換方法を説明するフローチャートである。
【発明を実施するための形態】
【００１５】
以下、本発明の実施形態について、詳細に説明する。ただし、本実施形態に記載されている構成は、特に特定的な記載がない限り、この発明の範囲をそれのみに限定する趣旨ではなく、単なる説明例に過ぎない。
【００１６】
まず、本発明の各実施形態に係る映像信号変換装置システムの概略について、図１を参照して説明する。図１は、本発明の各実施形態に係る映像信号変換装置システムの概略を説明するための図である。図１の（ａ）は、放送局（送信機）における映像信号の変換を説明するための図であり、図１の（ｂ）は、受信機における映像信号の変換を説明するための図である。
【００１７】
図１の（ａ）が示すように、放送局において、輝度方式がＰＱ方式であるＨＤＲ映像信号（例えば、ＳＭＰＴＥ  ＳＴ２０８４の映像フォーマットに従う映像信号）は、当該ＨＤＲ映像信号に関連した付帯情報であるマスターディスプレイ情報、最大輝度、平均輝度および基準白等のメタ情報（例えば、ＳＭＰＴＥ  ＳＴ２０８６で規定されているメタ情報）を有している。そして、当該ＨＤＲ映像信号をＰＱ方式のＥＯＴＦによってディスプレイライト情報に変換し、当該ディスプレイライト情報をＨＬＧ方式のＥＯＴＦ−１によってＨＬＧ方式のＨＤＲ映像信号に逆変換する過程で、上述の付帯情報は失われてしまう。
【００１８】
そこで、本発明の映像信号変換装置システムでは、輝度方式がＰＱ方式であるＨＤＲ映像信号に関連した付帯情報を、受信機に送信する。図１の（ｂ）が示すように、受信機において、輝度方式がＨＬＧ方式であるＨＤＲ映像信号をＨＬＧ方式のＥＯＴＦによってディスプレイライト情報に変換し、当該ディスプレイライト情報をＰＱ方式のＥＯＴＦ−１によってＰＱ方式のＨＤＲ映像信号に逆変換する。そして、本発明に係る映像信号変換装置システムでは、放送局側から送信された上述の付帯情報を、例えば、ＣＥＡ８６１．３で規定されている記述子等の形式で、ＰＱ方式のＨＤＲ映像信号と共に表示装置に出力する。
【００１９】
なお、本明細書における第１の映像フォーマットに従うＨＤＲ映像信号に関連する「付帯情報」は、第１の映像フォーマットに従うＨＤＲ映像信号に関連する「メタ情報」を含む。より具体的には、「メタ情報」は、第１の映像フォーマットに従う高ダイナミックレンジ映像信号における、最大輝度値、最小輝度値、平均輝度値、白レベル、およびマスターモニターに関連する情報、のうちの少なくとも１つ以上を含む。そして、以下の各実施形態では、「付帯情報」が「メタ情報」である場合の例を示す。
【００２０】
〔実施形態１〕
本実施形態に係る映像信号変換システムについて、詳細に説明する。本実施形態に係る映像信号変換システムは下記で説明する映像信号変換装置１および映像信号変換装置２０を備えている。以下で、映像信号変換装置１および映像信号変換装置２０について、詳細に説明する。
【００２１】
（映像信号変換装置１）
本発明の実施形態１に係る映像信号変換装置１について、図２を参照して説明する。図２は、本実施形態に係る映像信号変換装置１の構成を示すブロック図である。図２が示すように、映像信号変換装置１は、処理部２および送信部１３を備えている。このように、映像信号変換装置１は、送信部１３を備えているので送信装置と呼称してもよい。
【００２２】
処理部２は、映像信号取得部３、音声信号取得部４、映像信号変換部５、映像信号符号化部６、生成部７、音声信号符号化部８、多重化部９、付加部１０、および暗号化部１１を備えている。
【００２３】
映像信号取得部３は、輝度方式がＰＱ方式である映像フォーマット（以下、第１の映像フォーマット）に従うＨＤＲ映像信号を取得し、当該第１の映像フォーマットに従うＨＤＲ映像信号からメタ情報を抽出する。
【００２４】
音声信号取得部４は、映像信号取得部３が取得した第１の映像フォーマットに従うＨＤＲ映像信号に対応する音声信号を取得する。
【００２５】
映像信号変換部５は、映像信号取得部３が取得した第１の映像フォーマットに従うＨＤＲ映像信号を、輝度方式がＨＬＧ方式である映像フォーマット（以下、第２の映像フォーマット）に従うＨＤＲ映像信号に変換する。
【００２６】
映像信号符号化部６は、映像信号変換部５が変換した第２の映像フォーマットに従うＨＤＲ映像信号を符号化する。
【００２７】
生成部７は、映像信号取得部３が抽出したメタ情報から、各メタ情報のパラメータを示す記述子を生成する。
【００２８】
音声信号符号化部８は、音声信号取得部４が取得した音声信号を符号化する。
【００２９】
多重化部９は、映像信号符号化部６が符号化した第２の映像フォーマットに従うＨＤＲ映像信号と、生成部７が生成した各メタ情報のパラメータを示す記述子と、音声信号符号化部８が符号化した音声信号とを、ＭＭＴ（MPEG Media Transport）フォーマットのデータに多重化する。
【００３０】
付加部１０は、多重化部９が多重化したＭＭＴフォーマットのデータに、第１の映像フォーマットに従うＨＤＲ映像信号から第２の映像フォーマットに従うＨＤＲ映像信号に変換されたことを示す記述子を付帯情報として付加する。
【００３１】
暗号化部１１は、付加部１０が記述子を付加したＭＭＴフォーマットのデータを暗号化する。
【００３２】
出力部１２は、暗号化部１１が暗号化したＭＭＴフォーマットのデータ（暗号化ＭＭＴフォーマットデータ）を送信部１３に出力する。
【００３３】
送信部１３は、出力部１２が出力した暗号化ＭＭＴフォーマットデータを放送波として送信する。
【００３４】
（映像信号変換装置１の動作）
本実施形態に係る映像信号変換装置１が実行する映像信号変換方法について、図２を参照して説明する。図３は、本実施形態に係る映像信号変換装置１が実行する映像信号変換方法を示すフローチャートである。
【００３５】
まず、映像信号取得部３は、第１の映像フォーマットに従うＨＤＲ映像信号を取得する（ステップＳ０）。ここで、本実施形態では、第１の映像フォーマットは、輝度方式がＰＱ方式である映像フォーマットであり、後述する第２の映像フォーマットは、輝度方式がＨＬＧ方式である映像フォーマットである。第１の映像フォーマットの例として、ＳＭＰＴＥ−ＳＴ２０８４を挙げることができる。輝度方式がＨＬＧ方式である映像フォーマットの例としては、ＡＲＩＢ  ＳＴＤ−Ｂ６７等が挙げられる。しかし、第１の映像フォーマットおよび第２の映像フォーマット、ならびに第１の映像フォーマットの輝度方式および第２の映像フォーマットの輝度方式は、これらの例に限定されることはなく、任意の映像フォーマット、および任意の輝度方式であり得る。
【００３６】
次に、映像信号取得部３は、第１の映像フォーマットに従うＨＤＲ映像信号からメタ情報を抽出する（ステップＳ１）。なお、本実施形態に係る映像信号変換装置１は、第１の映像フォーマットに従うＨＤＲ映像信号から、メタ情報を抽出するが、第１の映像フォーマットに従うＨＤＲ映像信号とは異なる伝送経路より、メタ情報を取得してもよい。
【００３７】
次に、映像信号変換部５は、映像信号取得部３が取得した第１の映像フォーマットに従う映像信号を、第２の映像フォーマットに従う高ダイナミックレンジ映像信号に変換する（ステップＳ２）。
【００３８】
次に、映像信号符号化部６は、映像信号変換部５が変換した第２の映像フォーマットに従うＨＤＲ映像信号を符号化する（ステップＳ３）。
【００３９】
一方、音声信号取得部４は、映像信号取得部３が取得した第１の映像フォーマットに従うＨＤＲ映像信号に対応する音声信号を取得する（ステップＳ４）。次に、音声信号符号化部８は、音声信号取得部４が取得した音声信号を符号化する（ステップＳ５）。なお、ステップＳ０〜３と、ステップＳ４および５との処理の順序は、任意である。
【００４０】
一方、生成部７は、ステップＳ１で映像信号取得部３が抽出したメタ情報から、各メタ情報のパラメータを示す記述子を生成する（ステップＳ６）。なお、本実施形態では、各メタ情報のパラメータを示す記述子は、ＭＨ−ＥＩＴ（MPEG-H Event Information Table）に格納される記述子である。
【００４１】
ステップＳ０〜６の次の工程として、多重化部９は、映像信号符号化部６が符号化した第２の映像フォーマットに従うＨＤＲ映像信号と、生成部７が生成した各メタ情報のパラメータを示す記述子と、音声信号符号化部８が符号化した音声信号とを、ＭＭＴ（MPEG Media Transport）フォーマットのデータに多重化する（ステップＳ７）。なお、本実施形態では、生成部７が生成した各メタ情報のパラメータを示す記述子をＭＭＴフォーマットのデータに多重化する方法として、各メタ情報のパラメータを示す記述子をＭＨ−ＥＩＴに格納する方法を用いる。
【００４２】
次に、付加部１０は、多重化部９が多重化したＭＭＴフォーマットのデータに、第１の映像フォーマットに従うＨＤＲ映像信号から第２の映像フォーマットに従うＨＤＲ映像信号に変換されたことを示す記述子を付帯情報として付加する（ステップＳ８）。これにより、後述する映像信号変換装置２０において、取得した第２の映像フォーマットに従うＨＤＲ映像信号が、第１の映像フォーマットに従うＨＤＲ映像信号から変換されたものであることを認識することができる。
【００４３】
次に、暗号化部１１は、付加部１０が記述子を付加したＭＭＴフォーマットのデータを暗号化し、出力部１２を介して送信部１３に出力する（ステップＳ９）。次に、送信部１３は、出力部１２が出力した暗号化ＭＭＴフォーマットデータを放送波として送信する（ステップＳ１０）。
【００４４】
（メタ情報の例）
映像信号取得部３が第１の映像フォーマットに従うＨＤＲ映像信号から抽出するメタ情報のフォーマットの例として、ＳＭＰＴＥ−ＳＴ２０８６等を挙げることができる。また、当該メタ情報の例として、ＳＭＰＴＥ−ＳＴ２０８６で規定されているメタ情報を下記に示す。
【００４５】
５．１  Ｄｉｓｐｌａｙ  Ｐｒｉｍａｒｉｅｓ
５．２  Ｃｈｒｏｍａｔｉｃｉｔｙ  ｏｆ  Ｗｈｉｔｅ  Ｐｏｉｎｔ
５．３  Ｍａｘｉｍｕｍ  Ｄｉｓｐｌａｙ  Ｍａｓｔｅｒｉｎｇ  Ｌｕｍｉｎａｎｃｅ
５．４  Ｍｉｎｉｍｕｍ  Ｄｉｓｐｌａｙ  Ｍａｓｔｅｒｉｎｇ  Ｌｕｍｉｎａｎｃｅ
５．１  Ｄｉｓｐｌａｙ  Ｐｒｉｍａｒｉｅｓは、ＨＤＲ映像信号を評価するために使用したマスターディスプレイに関する情報を示している。５．２  Ｃｈｒｏｍａｔｉｃｉｔｙ  ｏｆ  Ｗｈｉｔｅ  Ｐｏｉｎｔは、白レベルを示している。５．３  Ｍａｘｉｍｕｍ  Ｄｉｓｐｌａｙ  Ｍａｓｔｅｒｉｎｇ  Ｌｕｍｉｎａｎｃｅは、ＨＤＲ映像信号が示す最大輝度を示している。５．４  Ｍｉｎｉｍｕｍ  Ｄｉｓｐｌａｙ  Ｍａｓｔｅｒｉｎｇ  Ｌｕｍｉｎａｎｃｅは、ＨＤＲ映像信号が示す最小輝度を示している。また、他のメタ情報の例として、平均輝度等を挙げることができる。
【００４６】
（第１の映像フォーマットに従うＨＤＲ映像信号から第２の映像フォーマットに従うＨＤＲ映像信号に変換されたことを示す記述子の例）
付加部１０がＭＭＴフォーマットのデータに付加する、第１の映像フォーマットに従うＨＤＲ映像信号から第２の映像フォーマットに従うＨＤＲ映像信号に変換されたことを示す記述子の例を下記で説明する。
【００４７】
下記の記述子は、ＡＲＩＢ  ＳＴＤ−Ｂ６０  ７．４．３．１９で規定されている映像コンポーネント記述子である。
【００４８】
Ｖｉｄｅｏ＿Ｃｏｍｐｏｎｅｎｔ＿Ｄｅｓｃｒｉｐｔｏｒ  （）｛
ｄｅｓｃｒｉｐｔｏｒ＿ｔａｇ
ｄｅｓｃｒｉｐｔｏｒ＿ｌｅｎｇｔｈ
ｖｉｄｅｏ＿ｒｅｓｏｌｕｔｉｏｎ
ｖｉｄｅｏ＿ａｓｐｅｃｔ＿ｒａｔｉｏ
ｖｉｄｅｏ＿ｓｃａｎ＿ｆｌａｇ
Ｒｅｓｅｒｖｅｄ
ｖｉｄｅｏ＿ｆｒａｍｅ＿ｒａｔｅ
ｃｏｍｐｏｎｅｎｔ＿ｔａｇ
ｖｉｄｅｏ＿ｔｒａｎｓｆｅｒ＿ｃｈａｒａｃｔｅｒｉｓｔｉｃｓ
ｒｅｓｅｒｖｅｄ
ＩＳＯ＿６３９＿ｌａｎｇｕａｇｅ＿ｃｏｄｅ
ｆｏｒ  （ｉ＝０；  ｉ＜Ｎ；  ｉ＋＋）  ｛
ｔｅｘｔ＿ｃｈａｒ  
｝
｝
各記述子は、ＨＥＶＣ規格に準拠したＶＵＩ（Video Usability Information）に相当し、ＭＰＴ（MMT Package Table）の第２ループ内に記載される。なお、ＭＰＴとは、ＭＭＴ（MPEG Media Transport）フォーマットに従う映像信号のパッケージに関する情報が記述されたテーブルである。
【００４９】
ここで、video_transfer_characteristics（映像信号伝達特性）という記述子を用いて、第１の映像フォーマットに従うＨＤＲ映像信号から第２の映像フォーマットに従うＨＤＲ映像信号に変換されたことを示す例を下記に示す。
【００５０】
video_transfer_characteristics
０→映像信号伝達特性を指定しない
１→ＶＵＩのtransfer_characteristics＝１
（Ｒｅｃ．  ＩＴＵ−Ｒ  ＢＴ．７０９−５）
２→ＶＵＩのtransfer_characteristics＝１１
（ＩＥＣ  ６１９６６−２−４）
３→ＶＵＩのtransfer_characteristics＝１４
（Ｒｅｃ．  ＩＴＵ−Ｒ  ＢＴ．２０２０）
４→ＶＵＩのtransfer_characteristics＝１６
（ＳＭＰＴＥ  ＳＴ  ２０８４）
５→ＶＵＩのtransfer_characteristics＝１８
（ＡＲＩＢ  ＳＴＤ−Ｂ６７）
６〜１５→将来使用のためリザーブ
上記の例が示すように、transfer_characteristics＝１を示す映像信号の映像フォーマットは、Ｒｅｃ．  ＩＴＵ−Ｒ  ＢＴ．７０９−５である。そして、Ｒｅｃ．  ＩＴＵ−Ｒ  ＢＴ．７０９−５の映像フォーマットのvideo_transfer_characteristicsに、１の値を割り当てる。また、transfer_characteristicsが１１であるＩＥＣ  ６１９６６−２−４のvideo_transfer_characteristicsに、２の値を割り当て、transfer_characteristicsが１４であるＲｅｃ．  ＩＴＵ−Ｒ  ＢＴ．２０２０のvideo_transfer_characteristicsに、３の値を割り当てる。また、transfer_characteristicsが１６であるＳＭＰＴＥ  ＳＴ  ２０８４のvideo_transfer_characteristicsに、４の値を割り当て、transfer_characteristicsが１８であるＡＲＩＢ  ＳＴＤ−Ｂ６７のvideo_transfer_characteristicsに、５の値を割り当てる。そして、video_transfer_characteristicsの値である６〜１５のうちの何れか１つ以上の値を、第１の映像フォーマットに従うＨＤＲ映像信号から第２の映像フォーマットに従うＨＤＲ映像信号に変換されたことを示すために使用する。例えば、ＳＭＰＴＥ  ＳＴ  ２０８４に従う映像信号（ＰＱ方式の映像フォーマットに従うＨＤＲ映像信号）から変換したＡＲＩＢ  ＳＴＤ−Ｂ６７に従う映像信号（ＨＬＧ方式の映像フォーマットに従うＨＤＲ映像信号）のvideo_transfer_characteristicsに、６の値を割り当てる。また、逆に、ＡＲＩＢ  ＳＴＤ−Ｂ６７に従う映像信号（ＨＬＧ方式の映像フォーマットに従うＨＤＲ映像信号）から変換したＳＭＰＴＥ  ＳＴ  ２０８４に従う映像信号（ＰＱ方式の映像フォーマットに従うＨＤＲ映像信号）のvideo_transfer_characteristicsに、７の値を割り当てる。そして、本実施形態に係る映像信号変換装置１は、このように設定した記述子を、第２の映像フォーマットに従うＨＤＲ映像信号に伴ったＭＰＴ（ＭＭＴ  Ｐａｃｋａｇｅ  Ｔａｂｌｅ）に付加する。そして、このように記述子が付加されたＨＤＲ映像信号を受信した受信機は、当該記述子を読み取ることにより、ＨＤＲ映像信号が何れの映像フォーマットに従うＨＤＲ映像信号から変換されたものであるかを認識することができる。
【００５１】
（映像信号変換装置１の変型例）
なお、本実施形態では、映像信号変換装置１は、変換した第２の映像フォーマットに従うＨＤＲ映像信号を、ＭＭＴフォーマットのデータとして出力するが、映像信号変換装置１が第２の映像フォーマットに従うＨＤＲ映像信号を出力する際のデータのフォーマットは、これに限定されない。例えば、映像信号変換装置１は、変換した第２の映像フォーマットに従うＨＤＲ映像信号を、ＭＰＥＧ２−ＴＳフォーマットのデータとして出力してもよい。
【００５２】
その場合、ステップＳ７の工程において、多重化部９は、映像信号符号化部６が符号化した第２の映像フォーマットに従うＨＤＲ映像信号と、生成部７が生成した各メタ情報のパラメータを示す記述子と、音声信号符号化部８が符号化した音声信号とを、ＭＰＥＧ２−ＴＳフォーマットのデータに多重化する。
【００５３】
また、ステップＳ８において、付加部１０は、多重化部９が多重化したＭＰＥＧ２−ＴＳフォーマットのデータに、第１の映像フォーマットに従うＨＤＲ映像信号から第２の映像フォーマットに従うＨＤＲ映像信号に変換されたことを示す記述子を付帯情報として付加する。
【００５４】
次に、ステップＳ９において、暗号化部１１は、付加部１０が記述子を付加したＭＰＥＧ２−ＴＳフォーマットのデータを暗号化し、出力部１２を介して送信部１３に出力する。
【００５５】
次に、ステップＳ１０において、送信部１３は、出力部１２が出力した暗号化ＭＰＥＧ２−ＴＳフォーマットのデータを放送波として送信する。
【００５６】
（映像信号変換装置１の変形例における、第１の映像フォーマットに従うＨＤＲ映像信号から第２の映像フォーマットに従うＨＤＲ映像信号に変換されたことを示す記述子の例）
また、映像信号変換装置１の変型例に記載したように、映像信号変換装置１が、変換した第２の映像フォーマットに従うＨＤＲ映像信号を、ＭＰＥＧ２−ＴＳフォーマットのデータとして出力する場合における、第１の映像フォーマットに従うＨＤＲ映像信号から第２の映像フォーマットに従うＨＤＲ映像信号に変換されたことを示す記述子の例を以下に示す。
【００５７】
第１の映像フォーマットに従うＨＤＲ映像信号から第２の映像フォーマットに従うＨＤＲ映像信号に変換されたことを示す記述子として、例えば、ＡＲＩＢ  ＳＴＤ−Ｂ１０で規定されているビデオコードコントロール記述子を用いる。当該ビデオコントロール記述子は、ＰＭＴ（Program Mapped Table）に記載される。ビデオコードコントロール記述子を下記に示す。
ｖｉｄｅｏ＿ｄｅｃｏｄｅ＿ｃｏｎｔｒｏｌ＿ｄｅｓｃｒｉｐｔｏｒ（）｛
ｄｅｓｃｒｉｐｔｏｒ＿ｔａｇ
ｄｅｓｃｒｉｐｔｏｒ＿ｌｅｎｇｔｈ
ｓｔｉｌｌ＿ｐｉｃｔｕｒｅ＿ｆｌａｇ
ｓｅｑｕｅｎｃｅ＿ｅｎｄ＿ｃｏｄｅ＿ｆｌａｇ
ｖｉｄｅｏ＿ｅｎｃｏｄｅ＿ｆｏｒｍａｔ
ｔｒａｎｓｆｅｒ＿ｃｈａｒａｃｔｅｒｉｓｔｉｃｓ
｝
ここで、transfer_characteristics（伝達特性）という記述子を用いて、第１の映像フォーマットに従うＨＤＲ映像信号から第２の映像フォーマットに従うＨＤＲ映像信号に変換されたことを示す例を下記に示す。
【００５８】
００→ＶＵＩのｔｒａｎｓｆｅｒ＿ｃｈａｒａｃｔｅｒｉｓｔｉｃｓ  ＝  １，１１，１４
（Ｒｅｃ．  ＩＴＵ−Ｒ  ＢＴ．７０９−５，ＩＥＣ  ６１９６６−２−４，Ｒｅｃ．  ＩＴＵ−Ｒ  ＢＴ．２０２０）
０１→ＶＵＩのｔｒａｎｓｆｅｒ＿ｃｈａｒａｃｔｅｒｉｓｔｉｃｓ  ＝  １６
（ＳＭＰＴＥ  ＳＴ  ２０８４）
１０→ＶＵＩのｔｒａｎｓｆｅｒ＿ｃｈａｒａｃｔｅｒｉｓｔｉｃｓ  ＝  １８
（ＡＲＩＢ  ＳＴＤ−Ｂ６７）
１１→伝達特性を指定しない
上記の例が示すように、ＶＵＩのtransfer_characteristics＝１、１１および１４が示す映像信号の映像フォーマットは、それぞれ、Ｒｅｃ．  ＩＴＵ−Ｒ  ＢＴ．７０９−５、ＩＥＣ  ６１９６６−２−４、Ｒｅｃ．  ＩＴＵ−Ｒ  ＢＴ．２０２０である。そして、これらの映像フォーマットにおけるビデオコードコントロール記述子のtransfer_characteristicsに、００の値を割り当てる。そして、その場合、当該００の値を、伝達特性を指定しない場合のtransfer_characteristicsの値として用いてもよい。理由として、上記の各映像フォーマットに従った映像信号に対しては、ＨＤＲに関する処理を行う必要はなく、伝達特性を指定しない場合と同様の処理を実行すればよいからである。
【００５９】
そして、伝達特性を指定しない場合の値であった１１の値を、代わりに、第１の映像フォーマットに従うＨＤＲ映像信号から第２の映像フォーマットに従うＨＤＲ映像信号に変換されたことを示すために使用する。例えば、ＳＭＰＴＥ  ＳＴ  ２０８４に従う映像信号（ＰＱ方式の映像フォーマットに従うＨＤＲ映像信号）から変換したＡＲＩＢ  ＳＴＤ−Ｂ６７に従う映像信号（ＨＬＧ方式の映像フォーマットに従うＨＤＲ映像信号）のtransfer_characteristicsに、１１の値を割り当てる。
【００６０】
また、第１の映像フォーマットに従うＨＤＲ映像信号から第２の映像フォーマットに従うＨＤＲ映像信号に変換されたことを示す記述子を別の伝送経路を利用して伝送してもよい。例えば、ビデオコードコントロール記述子のtransfer_characteristicsが１０の値である場合、映像信号変換装置１は、送信するＨＤＲ映像信号の変換前の映像フォーマットの輝度方式がＰＱであることを示す記述子をＥＩＴまたはハイブリットキャストの伝送経路によって伝送する。なお、当該記述子は、上述のマスターディスプレイ情報または最大輝度等のメタ情報を示す記述子であってもよい。その場合、受信機側において、メタ情報を示す記述子を認識することにより、受信した映像信号の変換前の映像フォーマットの輝度方式がＰＱであると判断できる。
【００６１】
（ＭＨ−ＥＩＴの例）
図４の（ａ）は、生成部７によって生成されるＭＨ−ＥＩＴの一例を示す図である。図４の（ａ）に示すＭＨ−ＥＩＴにおいて記述子Ｄ１には、コンテンツ毎のメタ情報が含まれる。
【００６２】
図４の（ｂ）は、図４の（ａ）に示すＭＨ−ＥＩＴにおけるメタ情報を含む記述子Ｄ１の他の一例を示す図である。図４（ｂ）に示す例においては、記述子Ｄ１内のdescriptor_tagの値として、拡張形式イベント記述子であることを示す「0x4E」が記述されている。拡張形式イベント記述子には、コンテンツに関する詳細な情報がテキストとして記述される。そのため、図４の（ｂ）に示すように、コンテンツ毎のメタ情報を示すテキストを、記述子Ｄ１内のText_charに記述する構成としてもよい。図４の（ｂ）に示す例においては、メタ情報のパラメータを示す任意のテキストが記述されており（※※※は、任意のテキストを示す）、後述する映像信号変換装置２０が備えるメタ情報読出部２８は、当該テキストを解析することによりメタ情報のパラメータを取得する。なお、Text_charに記述されているテキストに、例えば、「＃」などのような予め定められたハッシュタグを付して記述する構成とすれば、当該テキストが、第１の映像フォーマットに従うＨＤＲ映像信号に関連するメタ情報を示すテキストであるか否かの判定を容易にすることができる。
【００６３】
（映像信号変換装置２０）
本発明の実施形態１に係る映像信号変換装置２０は、上述の映像信号変換装置１が出力した第２の映像フォーマットに従うＨＤＲ映像信号を取得し、第２の映像フォーマットに従うＨＤＲ映像信号を、第１の映像フォーマットに従うＨＤＲ映像信号に変換する。
【００６４】
本発明の実施形態１に係る映像信号変換装置２０について、図５を参照して説明する。図５は、本実施形態に係る映像信号変換装置２０の構成を示すブロック図である。図５が示すように、映像信号変換装置２０は、受信部２１、処理部２２、および表示制御部３１を備えている。このように、映像信号変換装置２０は、受信部２１を備えているので受信装置と呼称してもよい。
【００６５】
受信部２１は、映像信号変換装置１が出力した暗号化されたＭＭＴフォーマットのデータ（暗号化ＭＭＴフォーマットデータ）を受信する。
【００６６】
処理部２２は、復調部２３、暗号復号部２４、逆多重化部２５、映像信号復号化部２６、音声信号復号化部２７、メタ情報読出部２８、読出部２９、および映像信号変換部３０を備えている。
【００６７】
復調部２３は、受信部２１が受信した暗号化ＭＭＴフォーマットデータを復調する。
【００６８】
暗号復号部２４は、復調部２３が復調した暗号化ＭＭＴフォーマットデータを復号する。
【００６９】
逆多重化部２５は、暗号復号部２４が復号したＭＭＴフォーマットデータを、第２の映像フォーマットに従うＨＤＲ映像信号と、当該映像信号に対応する音声信号と、第１の映像フォーマットに従うＨＤＲ映像信号に関連したメタ情報を含むＭＨ−ＥＩＴと、に逆多重化する。
【００７０】
映像信号復号化部２６は、逆多重化部２５が逆多重化により分離した第２の映像フォーマットに従うＨＤＲ映像信号を復号化する。
【００７１】
音声信号復号化部２７は、逆多重化部２５が逆多重化により分離した音声信号を復号化する。
【００７２】
メタ情報読出部２８は、逆多重化部２５が逆多重化により分離したＭＨ−ＥＩＴから、第１の映像フォーマットに従うＨＤＲ映像信号に関連するメタ情報を読み出す。
【００７３】
読出部２９は、映像信号復号化部２６が復号化した第２の映像フォーマットに従うＨＤＲ映像信号に伴ったＭＰＴから、第１の映像フォーマットに従うＨＤＲ映像信号から第２の映像フォーマットに従うＨＤＲ映像信号に変換されたことを示す記述子を読み出す。
【００７４】
映像信号変換部３０は、読出部２９が、第１の映像フォーマットに従う高ダイナミックレンジ映像信号から変換されたことを示す記述子を、第２の映像フォーマットに従う高ダイナミックレンジ映像信号から読み出した場合、当該第２の映像フォーマットに従うＨＤＲ映像信号を、第１の映像フォーマットに従うＨＤＲ映像信号に変換する。また、映像信号変換部３０は、メタ情報読出部２８が読み出した各メタ情報が示すパラメータを、ＨＤＭＩ（登録商標）のＩｎｆｏ  Ｆｒａｍｅに重畳し、第１の映像フォーマットに従うＨＤＲ映像信号と共に出力する。
【００７５】
表示制御部３１は、映像信号変換部３０が出力した第１の映像フォーマットに従うＨＤＲ映像信号およびメタ情報を参照して表示装置（不図示）を制御する。
【００７６】
また、本願発明は、本実施形態に係る映像信号変換装置２０および後述する映像信号変換装置５０を備えているテレビジョン受像機１００も含む。本実施形態に係る映像信号変換装置２０を備えているテレビジョン受像機１００を図６に示す。
【００７７】
（映像信号変換装置２０の動作）
本実施形態に係る映像信号変換装置２０が実行する映像信号変換方法について、図７を参照して説明する。図７は、本実施形態に係る映像信号変換装置２０が実行する映像信号変換方法を示すフローチャートである。
【００７８】
まず、受信部２１は、映像信号変換装置１が出力した暗号化されたＭＭＴフォーマットのデータ（暗号化ＭＭＴフォーマットデータ）を受信する（ステップＳ１０）。
【００７９】
次に、復調部２３は、受信部２１が受信した暗号化ＭＭＴフォーマットデータを復調する（ステップＳ１１）。
【００８０】
次に、暗号復号部２４は、復調部２３が復調した暗号化ＭＭＴフォーマットデータを復号する（ステップＳ１２）。
【００８１】
次に、逆多重化部２５は、暗号復号部２４が復号したＭＭＴフォーマットデータを、第２の映像フォーマットに従うＨＤＲ映像信号と、当該映像信号に対応する音声信号と、第１の映像フォーマットに従うＨＤＲ映像信号に関連したメタ情報を含むＭＨ−ＥＩＴと、に逆多重化する（ステップＳ１３）。なお、逆多重化部２５が逆多重化によって分離した音声信号は、音声信号復号化部２７によって復号化され、図示しない音声出力装置によって出力される。以下では、逆多重化部２５が逆多重化によって分離した第２の映像フォーマットに従うＨＤＲ映像信号と当該映像信号に対応する音声信号との処理を記載する。
【００８２】
ステップＳ１３の次の工程として、映像信号復号化部２６は、逆多重化部２５が逆多重化により分離した第２の映像フォーマットに従うＨＤＲ映像信号を復号化する（ステップＳ１４）。
【００８３】
次に、読出部２９は、映像信号復号化部２６が復号化した第２の映像フォーマットに従うＨＤＲ映像信号に伴ったＭＰＴから、第１の映像フォーマットに従うＨＤＲ映像信号から第２の映像フォーマットに従うＨＤＲ映像信号に変換されたことを示す記述子を読み出す（ステップＳ１５）。
【００８４】
次に、読出部２９は、読み出した記述子を参照して、第２の映像フォーマットに従うＨＤＲ映像信号が、第１の映像フォーマットに従うＨＤＲ映像信号から変換されたものであるか否かを判定する（ステップＳ１６）。
【００８５】
本実施形態では、第２の映像フォーマットに従うＨＤＲ映像信号が、第１の映像フォーマットに従うＨＤＲ映像信号から変換されたものであるか否かを、読出部２９が判定する方法として、第２の映像フォーマットに従うＨＤＲ映像信号に伴ったＭＰＴ内のvideo_transfer_characteristicsの値を参照して判定する方法を用いる。
【００８６】
例えば、ＳＭＰＴＥ  ＳＴ  ２０８４に従う映像信号（ＰＱ方式の映像フォーマットに従うＨＤＲ映像信号）から変換したＡＲＩＢ  ＳＴＤ−Ｂ６７に従う映像信号（ＨＬＧ方式の映像フォーマットに従うＨＤＲ映像信号）のvideo_transfer_characteristicsに、６の値を割り当てる。そして、読出部２９が、video_transfer_characteristicsが６の値であることを読み出した場合、読出部２９は、第２の映像フォーマットに従うＨＤＲ映像信号が、第１の映像フォーマットに従うＨＤＲ映像信号から変換されたものであると判定することができる。
【００８７】
読出部２９が、第２の映像フォーマットに従うＨＤＲ映像信号が、第１の映像フォーマットに従うＨＤＲ映像信号から変換されたものではないと判定した場合（ステップＳ１６のＮＯ）、映像信号変換部３０は、第２の映像フォーマットに従うＨＤＲ映像信号を、処理することなく表示制御部３１に出力する（ステップＳ１７）。
【００８８】
読出部２９が、第２の映像フォーマットに従うＨＤＲ映像信号が、第１の映像フォーマットに従うＨＤＲ映像信号から変換されたものであると判定した場合（ステップＳ１６のＹＥＳ）、映像信号変換部３０は、当該第２の映像フォーマットに従うＨＤＲ映像信号を、第１の映像フォーマットに従うＨＤＲ映像信号に変換する（ステップＳ１８）。
【００８９】
次に、メタ情報読出部２８は、逆多重化部２５が逆多重化により分離したＭＨ−ＥＩＴから、第１の映像フォーマットに従うＨＤＲ映像信号に関連するメタ情報を読み出す（ステップＳ１９）。
【００９０】
次に、映像信号変換部３０は、メタ情報読出部２８が読み出した各メタ情報が示すパラメータを、ＨＤＭＩ（登録商標）のＩｎｆｏ  Ｆｒａｍｅに重畳する（ステップＳ２０）。次に、映像信号変換部３０は、変換した第１の映像フォーマットに従うＨＤＲ映像信号を、メタ情報が重畳されたＨＤＭＩ（登録商標）のＩｎｆｏ  Ｆｒａｍｅと共に、表示制御部３１に出力する（ステップＳ２１）。
【００９１】
（ＨＤＭＩ（登録商標）のＩｎｆｏ  Ｆｒａｍｅに重畳する各メタ情報のパラメータを示す記述子の例）
映像信号変換部３０がＨＤＭＩ（登録商標）のＩｎｆｏ  Ｆｒａｍｅに重畳する各メタ情報のパラメータを示す記述子の例として、ＣＥＡ８６１．３で規定されている記述子を挙げることができる。図８は、ＣＥＡ８６１．３で規定されている記述子を示す表である。
【００９２】
図８において、Ｄａｔａ  Ｂｙｔｅ  ３〜２２に対応する記述子は、ＳＭＰＴＥ  ＳＴ
２０８６によって規定されているディスプレイマスタリングデータを含む。例えば、Ｄａｔａ  Ｂｙｔｅ  １９および２０に対応するmax_display_mastering_luminanceは、最大輝度値を示す。また、Ｄａｔａ  Ｂｙｔｅ  ２１および２２に対応するmin_display_mastering_luminanceは、最小輝度値を示す。Ｄａｔａ  Ｂｙｔｅ  ２３および２４に対応するMaximum Content Light Levelは、最大輝度レベル（ＭＡＸ  ＣＬＬ）を示す。Ｄａｔａ  Ｂｙｔｅ  ２５および２６に対応するMaximum Frame-average Light Levelは、最大フレーム平均輝度レベル（ＭＡＸ  ＦＡＬＬ）を示す。
【００９３】
（映像信号変換装置２０の変型例１）
上記で説明した本実施形態に係る映像信号変換装置２０は、各メタ情報が示すパラメータを、ＨＤＭＩ（登録商標）のＩｎｆｏ  Ｆｒａｍｅに重畳し、第１の映像フォーマットに従うＨＤＲ映像信号を、メタ情報が重畳されたＨＤＭＩ（登録商標）のＩｎｆｏ  Ｆｒａｍｅと共に、表示制御部３１に出力した。しかし、本発明に係る映像信号変換装置２０は、これに限定されない。例えば、映像信号変換装置２０は、上述のメタ情報読出部２８がＭＨ−ＥＩＴから読み出したメタ情報を処理せずに、そのまま表示制御部３１に出力してもよい。また、他の変型例では、映像信号変換装置２０は、表示制御部３１を備えておらず、ＭＨ−ＥＩＴから読みだしたメタ情報、またはＨＤＭＩ（登録商標）のＩｎｆｏ  Ｆｒａｍｅに重畳したメタ情報と共に、第１の映像フォーマットに従うＨＤＲ映像信号を外部の表示装置に出力してもよい。
【００９４】
（映像信号変換装置２０の変型例２）
なお、本実施形態では、映像信号変換装置２０は、映像信号変換装置１が出力した暗号化されたＭＭＴフォーマットのデータを受信するが、映像信号変換装置２０が受信するデータのフォーマットは、これに限定されない。例えば、映像信号変換装置２０は、映像信号変換装置１が出力した暗号化されたＭＰＥＧ２−ＴＳフォーマットのデータを受信してもよい。下記では、映像信号変換装置２０が、映像信号変換装置１が出力した暗号化されたＭＰＥＧ２−ＴＳフォーマットのデータを受信する変形例を示す。本変型例に係る映像信号変換装置が実行する映像信号変換方法について、図９を参照して説明する。図９は、本変型例に係る映像信号変換装置２０が実行する映像信号変換方法を示すフローチャートである。
【００９５】
まず、受信部２１は、映像信号変換装置１が出力した暗号化されたＭＰＥＧ２−ＴＳフォーマットのデータを受信する（ステップＳ９０）。
【００９６】
次に、復調部２３は、受信部２１が受信した暗号化されたＭＰＥＧ２−ＴＳフォーマットのデータを復調する（ステップＳ９１）。
【００９７】
次に、暗号復号部２４は、復調部２３が復調した暗号化されたＭＰＥＧ２−ＴＳフォーマットのデータを復号する（ステップＳ９２）。
【００９８】
次に、逆多重化部２５は、暗号復号部２４が復号したＭＰＥＧ２−ＴＳフォーマットのデータを、第２の映像フォーマットに従うＨＤＲ映像信号と、当該映像信号に対応する音声信号と、第１の映像フォーマットに従うＨＤＲ映像信号に関連したメタ情報を含むＥＩＴと、に逆多重化する（ステップＳ９３）。
【００９９】
次に、映像信号復号化部２６は、逆多重化部２５が逆多重化により分離した第２の映像フォーマットに従うＨＤＲ映像信号を復号化する（ステップＳ９４）。
【０１００】
次に、読出部２９は、映像信号復号化部２６が復号化した第２の映像フォーマットに従うＨＤＲ映像信号に伴ったＰＭＴから、第１の映像フォーマットに従うＨＤＲ映像信号から第２の映像フォーマットに従うＨＤＲ映像信号に変換されたことを示す記述子を読み出す（ステップＳ９５）。
【０１０１】
次に、読出部２９は、読み出した記述子を参照して、第２の映像フォーマットに従うＨＤＲ映像信号が、第１の映像フォーマットに従うＨＤＲ映像信号から変換されたものであるか否かを判定する（ステップＳ９６）。
【０１０２】
本変型例では、第２の映像フォーマットに従うＨＤＲ映像信号が、第１の映像フォーマットに従うＨＤＲ映像信号から変換されたものであるか否かを、読出部２９が判定する方法として、第２の映像フォーマットに従うＨＤＲ映像信号に伴ったＰＭＴ内のtransfer_characteristicsの値を参照して判定する方法を用いる。
【０１０３】
例えば、ＳＭＰＴＥ  ＳＴ  ２０８４に従う映像信号（ＰＱ方式の映像フォーマットに従うＨＤＲ映像信号）から変換したＡＲＩＢ  ＳＴＤ−Ｂ６７に従う映像信号（ＨＬＧ方式の映像フォーマットに従うＨＤＲ映像信号）のtransfer_characteristicsに、１１の値を割り当てる。そして、読出部２９が、transfer_characteristicsが１１の値であることを読み出した場合、読出部２９は、第２の映像フォーマットに従うＨＤＲ映像信号が、第１の映像フォーマットに従うＨＤＲ映像信号から変換されたものであると判定することができる。
【０１０４】
読出部２９が、第２の映像フォーマットに従うＨＤＲ映像信号が、第１の映像フォーマットに従うＨＤＲ映像信号から変換されたものではないと判定した場合（ステップＳ９６のＮＯ）、映像信号変換部３０は、第２の映像フォーマットに従うＨＤＲ映像信号を、処理することなく表示制御部３１に出力する（ステップＳ９７）。
【０１０５】
読出部２９が、第２の映像フォーマットに従うＨＤＲ映像信号が、第１の映像フォーマットに従うＨＤＲ映像信号から変換されたものであると判定した場合（ステップＳ９６のＹＥＳ）、映像信号変換部３０は、当該第２の映像フォーマットに従うＨＤＲ映像信号を、第１の映像フォーマットに従うＨＤＲ映像信号に変換する（ステップＳ９８）。
【０１０６】
次に、メタ情報読出部２８は、逆多重化部２５が逆多重化により分離したＥＩＴから、第１の映像フォーマットに従うＨＤＲ映像信号に関連するメタ情報を読み出す（ステップＳ９９）。
【０１０７】
次に、映像信号変換部３０は、メタ情報読出部２８が読み出した各メタ情報が示すパラメータを、ＨＤＭＩ（登録商標）のＩｎｆｏ  Ｆｒａｍｅに重畳する（ステップＳ１００）。
【０１０８】
次に、映像信号変換部３０は、変換した第１の映像フォーマットに従うＨＤＲ映像信号を、メタ情報が重畳されたＨＤＭＩ（登録商標）のＩｎｆｏ  Ｆｒａｍｅと共に、表示制御部３１に出力する（ステップＳ１０１）。
【０１０９】
（映像信号変換装置２０の変形例３）
本変型例では、映像信号変換装置２０が、映像信号変換装置１が出力した暗号化されたＭＰＥＧ２−ＴＳフォーマットのデータを受信する別の変形例を示す。本変型例に係る映像信号変換装置が実行する映像信号変換方法について、図１０を参照して説明する。図１０は、本変型例に係る映像信号変換装置２０が実行する映像信号変換方法を示すフローチャートである。
【０１１０】
まず、受信部２１は、映像信号変換装置１が出力した暗号化されたＭＰＥＧ２−ＴＳフォーマットのデータを受信する（ステップＳ１１０）。
【０１１１】
次に、復調部２３は、受信部２１が受信した暗号化されたＭＰＥＧ２−ＴＳフォーマットのデータを復調する（ステップＳ１１１）。
【０１１２】
次に、暗号復号部２４は、復調部２３が復調した暗号化されたＭＰＥＧ２−ＴＳフォーマットのデータを復号する（ステップＳ１１２）。
【０１１３】
次に、逆多重化部２５は、暗号復号部２４が復号したＭＰＥＧ２−ＴＳフォーマットのデータを、第２の映像フォーマットに従うＨＤＲ映像信号と、当該映像信号に対応する音声信号と、第１の映像フォーマットに従うＨＤＲ映像信号に関連したメタ情報を含むＥＩＴと、に逆多重化する（ステップＳ１１３）。
【０１１４】
次に、映像信号復号化部２６は、逆多重化部２５が逆多重化により分離した第２の映像フォーマットに従うＨＤＲ映像信号を復号化する（ステップＳ１１４）。
【０１１５】
次に、読出部２９は、映像信号復号化部２６が復号化した第２の映像フォーマットに従うＨＤＲ映像信号に伴ったＰＭＴから、第１の映像フォーマットに従うＨＤＲ映像信号から第２の映像フォーマットに従うＨＤＲ映像信号に変換されたことを示す記述子を読み出す（ステップＳ１１５）。
【０１１６】
次に、読出部２９は、読み出した記述子を参照して、第２の映像フォーマットに従うＨＤＲ映像信号が、第１の映像フォーマットに従うＨＤＲ映像信号から変換されたものであるか否かを判定する（ステップＳ１１６）。
【０１１７】
本変型例では、第２の映像フォーマットに従うＨＤＲ映像信号が、第１の映像フォーマットに従うＨＤＲ映像信号から変換されたものであるか否かを、読出部２９が判定する方法として、第２の映像フォーマットに従うＨＤＲ映像信号に伴ったＰＭＴ内のtransfer_characteristicsの値を参照して判定する方法を用いる。
【０１１８】
読出部２９が、第２の映像フォーマットに従うＨＤＲ映像信号が、第１の映像フォーマットに従うＨＤＲ映像信号から変換されたものではないと判定した場合（ステップＳ１１６のＮＯ）、映像信号変換部３０は、第２の映像フォーマットに従うＨＤＲ映像信号を、処理することなく表示制御部３１に出力する（ステップＳ１１７）。
【０１１９】
読出部２９が、第２の映像フォーマットに従うＨＤＲ映像信号が、第１の映像フォーマットに従うＨＤＲ映像信号から変換されたものであると判定した場合（ステップＳ１１６のＹＥＳ）、メタ情報読出部２８は、逆多重化部２５が逆多重化により分離したＥＩＴを参照して、第２の映像フォーマットに従うＨＤＲ映像信号が、第１の映像フォーマットに従うＨＤＲ映像信号から変換されたものであるか否かを判定する（ステップＳ１１８）。なお、メタ情報読出部２８が、ＥＩＴを参照して、第２の映像フォーマットに従うＨＤＲ映像信号が、第１の映像フォーマットに従うＨＤＲ映像信号から変換されたものであるか否かを判定する方法に、特に限定はない。例えば、メタ情報読出部２８は、ＥＩＴに、第１の映像フォーマットに従うＨＤＲ映像信号に関連するメタ情報が含まれているか否かを判定することにより、第２の映像フォーマットに従うＨＤＲ映像信号が、第１の映像フォーマットに従うＨＤＲ映像信号から変換されたものであるか否かを判定してもよい。
【０１２０】
メタ情報読出部２８が、ＥＩＴを参照して、第２の映像フォーマットに従うＨＤＲ映像信号が、第１の映像フォーマットに従うＨＤＲ映像信号から変換されたものではないと判定した場合（ステップＳ１１８のＮＯ）、ステップＳ１１７に進み、映像信号変換部３０は、第２の映像フォーマットに従うＨＤＲ映像信号を、処理することなく表示制御部３１に出力する。
【０１２１】
メタ情報読出部２８が、ＥＩＴを参照して、第２の映像フォーマットに従うＨＤＲ映像信号が、第１の映像フォーマットに従うＨＤＲ映像信号から変換されたものであると判定した場合（ステップＳ１１８のＹＥＳ）、映像信号変換部３０は、当該第２の映像フォーマットに従うＨＤＲ映像信号を、第１の映像フォーマットに従うＨＤＲ映像信号に変換する（ステップＳ１１９）。
【０１２２】
次に、メタ情報読出部２８は、逆多重化部２５が逆多重化により分離したＥＩＴから、第１の映像フォーマットに従うＨＤＲ映像信号に関連するメタ情報を読み出す（ステップＳ１２０）。
【０１２３】
次に、映像信号変換部３０は、メタ情報読出部２８が読み出した各メタ情報が示すパラメータを、ＨＤＭＩ（登録商標）のＩｎｆｏ  Ｆｒａｍｅに重畳する（ステップＳ１２１）。
【０１２４】
次に、映像信号変換部３０は、変換した第１の映像フォーマットに従うＨＤＲ映像信号を、メタ情報が重畳されたＨＤＭＩ（登録商標）のＩｎｆｏ  Ｆｒａｍｅと共に、表示制御部３１に出力する（ステップＳ１２２）。
【０１２５】
（実施形態１のまとめ）
以上のように、本実施形態に係る映像信号変換システムにおいて、映像信号変換装置１は、第１の映像フォーマットに従う高ダイナミックレンジ映像信号を、第２の映像フォーマットに従う高ダイナミックレンジ映像信号に変換し、第１の映像フォーマットに従う高ダイナミックレンジ映像信号に関連するメタ情報を出力する。また、映像信号変換装置２０は、映像信号変換装置１が出力した第１の映像フォーマットに従う高ダイナミックレンジ映像信号に関連するメタ情報を取得し、映像信号変換装置１が出力した第２の映像フォーマットに従う高ダイナミックレンジ映像信号を、メタ情報を参照して、第１の映像フォーマットに従う高ダイナミックレンジ映像信号に変換する。これにより、送信機側において、第１の映像フォーマットに従うＨＤＲ映像信号を、第２の映像フォーマットに従うＨＤＲ映像信号に変換しても、元の第１の映像フォーマットに従うＨＤＲ映像信号に関連するメタ情報が失われない。また、受信機側において、第１の映像フォーマットに従うＨＤＲ映像信号から変換された第２の映像フォーマットに従うＨＤＲ映像信号を、元の第１の映像フォーマットに従うＨＤＲ映像信号に変換しても、元の第１の映像フォーマットに従うＨＤＲ映像信号の画質を維持することができる。
【０１２６】
〔実施形態２〕
本実施形態に係る映像信号変換システムについて、詳細に説明する。本実施形態に係る映像信号変換システムは下記で説明する映像信号変換装置４０および映像信号変換装置５０を備えている。以下で、映像信号変換装置４０および映像信号変換装置５０について、詳細に説明する。なお、本実施形態に係る映像信号変換装置４０においても、実施形態１に係る映像信号変換装置１で説明したように、第２の映像フォーマットに従うＨＤＲ映像信号をＭＭＴフォーマットのデータとして送信してもよいし、ＭＰＥＧ２−ＴＳフォーマットのデータとして送信してもよい。また、本実施形態に係る映像信号変換装置５０においても、実施形態１に係る映像信号変換装置２０で説明したように、第２の映像フォーマットに従うＨＤＲ映像信号をＭＭＴフォーマットのデータとして受信してもよいし、ＭＰＥＧ２−ＴＳフォーマットのデータとして受信してもよい。
【０１２７】
（映像信号変換装置４０）
本実施形態に係る映像信号変換装置４０について、図面を参照して説明する。なお、本実施形態に係る映像信号変換装置４０は、通信部４１を備えていること以外は、実施形態１に係る映像信号変換装置１と同様の構成を有している。そのため、実施形態１において説明した部材と同様の機能を有する部材については、同じ番号を付し、その説明を省略する。図１１は、本実施形態に係る映像信号変換装置４０の構成を示すブロック図である。図１１が示すように、映像信号変換装置４０は、実施形態１に係る映像信号変換装置１の構成に加えて、通信部４１をさらに備えている。
【０１２８】
通信部４１は、出力部１２が出力したメタ情報を、第２の映像フォーマットに従う高ダイナミックレンジ映像信号を送信する伝送経路とは異なる伝送経路にて送信する。
【０１２９】
（映像信号変換装置４０の動作）
図１２は、本実施形態に係る映像信号変換装置２０の動作を説明するフローチャートである。なお、実施形態１において説明した工程と同様の工程については、その説明を省略する。
【０１３０】
まず、映像信号取得部３は、第１の映像フォーマットに従うＨＤＲ映像信号を取得する（ステップＳ３０）。次に、映像信号取得部３は、第１の映像フォーマットに従うＨＤＲ映像信号からメタ情報を抽出する（ステップＳ３１）。次に、映像信号変換部５は、映像信号取得部３が取得した第１の映像フォーマットに従う映像信号を、第２の映像フォーマットに従う高ダイナミックレンジ映像信号に変換する（ステップＳ３２）。次に、映像信号符号化部６は、映像信号変換部５が変換した第２の映像フォーマットに従うＨＤＲ映像信号を符号化する（ステップＳ３３）。
【０１３１】
一方、音声信号取得部４は、映像信号取得部３が取得した第１の映像フォーマットに従うＨＤＲ映像信号に対応する音声信号を取得する（ステップＳ３４）。次に、音声信号符号化部８は、音声信号取得部４が取得した音声信号を符号化する（ステップＳ３５）。
【０１３２】
次に、多重化部９は、映像信号符号化部６が符号化した第２の映像フォーマットに従うＨＤＲ映像信号と、音声信号符号化部８が符号化した音声信号とを多重化する（ステップＳ３６）。
【０１３３】
次に、付加部１０は、多重化部９が多重化したデータに、第１の映像フォーマットに従うＨＤＲ映像信号から第２の映像フォーマットに従うＨＤＲ映像信号に変換されたことを示す記述子を付帯情報として付加する（ステップＳ３７）。
【０１３４】
次に、暗号化部１１は、付加部１０が記述子を付加したデータを暗号化する（ステップＳ３８）。次に、送信部１３は、暗号化部１１が暗号化したデータを放送波として出力する（ステップＳ３９）。
【０１３５】
一方、生成部７は、ステップＳ３１で映像信号取得部３が抽出したメタ情報から、各メタ情報のパラメータを示す記述子を生成する（ステップＳ４０）。
【０１３６】
出力部１２は、生成部７が生成した各メタ情報のパラメータを示す記述子を、通信部４１を介して外部に出力する（ステップＳ４１）。なお、通信部４１は、生成部７が生成した各メタ情報のパラメータを示す記述子を、第２の映像フォーマットに従う高ダイナミックレンジ映像信号を送信する伝送経路とは異なる伝送経路にて送信する。
【０１３７】
ここで、第２の映像フォーマットに従う高ダイナミックレンジ映像信号を送信する伝送経路とは異なる伝送経路の例として、インターネットを介した伝送経路が挙げられる。より詳細には、インターネットを介した伝送経路は、ハイブリッドキャスト（登録商標）に伴ったインターネット通信であり得る。
【０１３８】
（映像信号変換装置５０）
本実施形態に係る映像信号変換装置５０について、図面を参照して説明する。なお、本実施形態に係る映像信号変換装置５０は、通信部５１を備えていること、および、処理部５２のメタ情報取得部５３を備えていること以外は、実施形態１に係る映像信号変換装置２０と同様の構成を有している。そのため、実施形態１において説明した部材と同様の機能を有する部材については、同じ番号を付し、その説明を省略する。図１３は、本実施形態に係る映像信号変換装置５０の構成を示すブロック図である。図１３が示すように、映像信号変換装置５０は、実施形態１に係る映像信号変換装置２０の構成に加えて、通信部５１を備えており、また、処理部５２のメタ情報取得部５３を備えている。
【０１３９】
通信部５１は、上述の映像信号変換装置４０が第２の映像フォーマットに従う高ダイナミックレンジ映像信号を送信した伝送経路とは異なる伝送経路にて送信した各メタ情報のパラメータを示す記述子を受信する。
【０１４０】
メタ情報取得部５３は、通信部５１が受信した各メタ情報のパラメータを示す記述子を取得する。
【０１４１】
（映像信号変換装置５０の動作）
図１４は、本実施形態に係る映像信号変換装置５０の動作を説明するフローチャートである。なお、実施形態１において説明した工程と同様の工程については、その説明を省略する。
【０１４２】
まず、受信部２１は、映像信号変換装置４０が出力した暗号化データ（第２の映像フォーマットに従う高ダイナミックレンジ映像信号を含むデータ）を受信する（ステップＳ５０）。
【０１４３】
一方、メタ情報取得部５３は、映像信号変換装置４０が出力した各メタ情報のパラメータを示す記述子を、通信部５１を介して取得する（ステップＳ５１）。
【０１４４】
また、復調部２３は、受信部２１が受信した暗号化データを復調する（ステップＳ５２）。次に、暗号復号部２４は、復調部２３が復調した暗号化データを復号する（ステップＳ５３）。
【０１４５】
次に、逆多重化部２５は、暗号復号部２４が復号したデータを、第２の映像フォーマットに従うＨＤＲ映像信号と、当該映像信号に対応する音声信号と、に逆多重化する（ステップＳ５４）。
【０１４６】
次に、映像信号復号化部２６は、逆多重化部２５が逆多重化により分離した第２の映像フォーマットに従うＨＤＲ映像信号を復号化する（ステップＳ５５）。
【０１４７】
次に、読出部２９は、映像信号復号化部２６が復号化した第２の映像フォーマットに従うＨＤＲ映像信号から、第１の映像フォーマットに従うＨＤＲ映像信号から第２の映像フォーマットに従うＨＤＲ映像信号に変換されたことを示す記述子を読み出す（ステップＳ５６）。
【０１４８】
次に、読出部２９は、読み出した記述子を参照して、第２の映像フォーマットに従うＨＤＲ映像信号が、第１の映像フォーマットに従うＨＤＲ映像信号から変換されたものであるか否かを判定する（ステップＳ５７）。
【０１４９】
読出部２９が、第２の映像フォーマットに従うＨＤＲ映像信号が、第１の映像フォーマットに従うＨＤＲ映像信号から変換されたものではないと判定した場合（ステップＳ５７のＮＯ）、映像信号変換部３０は、第２の映像フォーマットに従うＨＤＲ映像信号を、処理することなく表示制御部３１に出力する（ステップＳ５８）。
【０１５０】
読出部２９が、第２の映像フォーマットに従うＨＤＲ映像信号が、第１の映像フォーマットに従うＨＤＲ映像信号から変換されたものであると判定した場合（ステップＳ５７のＹＥＳ）、映像信号変換部３０は、当該第２の映像フォーマットに従うＨＤＲ映像信号を、第１の映像フォーマットに従うＨＤＲ映像信号に変換する（ステップＳ５９）。
【０１５１】
次に、映像信号変換部３０は、メタ情報取得部５３が取得した各メタ情報が示すパラメータを、ＨＤＭＩ（登録商標）のＩｎｆｏ  Ｆｒａｍｅに重畳する（ステップＳ６０）。
【０１５２】
次に、映像信号変換部３０は、変換した第１の映像フォーマットに従うＨＤＲ映像信号を、メタ情報が重畳されたＨＤＭＩ（登録商標）のＩｎｆｏ  Ｆｒａｍｅと共に、表示制御部３１に出力する（ステップＳ６１）。
【０１５３】
以上のように、本実施形態に係る映像信号変換システムにおいて、映像信号変換装置４０は、第２の映像フォーマットに従う高ダイナミックレンジ映像信号を送信する伝送経路とは異なる伝送経路にて、メタ情報を送信する。また、映像信号変換装置５０は、映像信号変換装置４０が第２の映像フォーマットに従う高ダイナミックレンジ映像信号を送信した伝送経路とは異なる伝送経路にて送信したメタ情報を受信する。これにより、第２の映像フォーマットに従う高ダイナミックレンジ映像信号を伴わない伝送経路でメタ情報を送信するため、送信するメタ情報の情報量を増加することができる。また、第２の映像フォーマットに従う高ダイナミックレンジ映像信号を伴っていない伝送経路でメタ情報を受信するため、受信するメタ情報の情報量を増加することができる。
【０１５４】
〔実施形態３〕
本発明の実施形態３について説明すれば、以下のとおりである。なお、本実施形態に係る映像信号変換装置および映像信号変換方法は、実施形態１に係る映像信号変換装置２０が実行する映像信号変換方法以外、実施形態１に係る映像信号変換装置および映像信号変換方法と同様である。従って、以下では、本実施形態に係る映像信号変換装置２０が実行する映像信号変換方法について詳細に説明する。
【０１５５】
本実施形態に係る映像信号変換装置２０が実行する映像信号変換方法について、図１５を参照して説明する。図１５は、本実施形態に係る映像信号変換装置２０が実行する映像信号変換方法を示すフローチャートである。
【０１５６】
まず、受信部２１は、映像信号変換装置１が出力した暗号化されたＭＭＴフォーマットのデータ（暗号化ＭＭＴフォーマットデータ）を受信する（ステップＳ７０）。次に、復調部２３は、受信部２１が受信した暗号化ＭＭＴフォーマットデータを復調する（ステップＳ７１）。次に、暗号復号部２４は、復調部２３が復調した暗号化ＭＭＴフォーマットデータを復号する（ステップＳ７２）。
【０１５７】
次に、逆多重化部２５は、暗号復号部２４が復号したＭＭＴフォーマットデータを、第２の映像フォーマットに従うＨＤＲ映像信号と、当該映像信号に対応する音声信号と、第１の映像フォーマットに従うＨＤＲ映像信号に関連したメタ情報を含むＭＨ−ＥＩＴと、に逆多重化する（ステップＳ７３）。
【０１５８】
次に、映像信号復号化部２６は、逆多重化部２５が逆多重化により分離した第２の映像フォーマットに従うＨＤＲ映像信号を復号化する（ステップＳ７４）。
【０１５９】
次に、読出部２９は、映像信号復号化部２６が復号化した第２の映像フォーマットに従うＨＤＲ映像信号に伴ったＭＰＴから、第１の映像フォーマットに従うＨＤＲ映像信号から第２の映像フォーマットに従うＨＤＲ映像信号に変換されたことを示す記述子を読み出す（ステップＳ７５）。
【０１６０】
次に、読出部２９は、読み出した記述子を参照して、第２の映像フォーマットに従うＨＤＲ映像信号が、第１の映像フォーマットに従うＨＤＲ映像信号から変換されたものであるか否かを判定する（ステップＳ７６）。
【０１６１】
読出部２９が、第２の映像フォーマットに従うＨＤＲ映像信号が、第１の映像フォーマットに従うＨＤＲ映像信号から変換されたものではないと判定した場合（ステップＳ７６のＮＯ）、映像信号変換部３０は、第２の映像フォーマットに従うＨＤＲ映像信号を、処理することなく表示制御部３１に出力する（ステップＳ７７）。
【０１６２】
読出部２９が、第２の映像フォーマットに従うＨＤＲ映像信号が、第１の映像フォーマットに従うＨＤＲ映像信号から変換されたものであると判定した場合（ステップＳ７６のＹＥＳ）、映像信号変換部３０は、当該第２の映像フォーマットに従うＨＤＲ映像信号を、第１の映像フォーマットに従うＨＤＲ映像信号に変換する（ステップＳ７８）。
【０１６３】
次に、メタ情報読出部２８は、逆多重化部２５が逆多重化により分離したＭＨ−ＥＩＴに、第１の映像フォーマットに従うＨＤＲ映像信号に関連するメタ情報が含まれているか否かを判定する（ステップＳ７９）。
【０１６４】
メタ情報読出部２８が、ＭＨ−ＥＩＴにメタ情報が含まれていないと判定した場合（ステップＳ７９のＮＯ）、映像信号変換部３０は、第２の映像フォーマットに従うＨＤＲ映像信号を出力する（ステップＳ８０）。
【０１６５】
メタ情報読出部２８が、ＭＨ−ＥＩＴにメタ情報が含まれていると判定した場合（ステップＳ７９のＹＥＳ）、映像信号変換部３０は、メタ情報読出部２８が読み出したメタ情報が示すパラメータを、ＨＤＭＩ（登録商標）のＩｎｆｏ  Ｆｒａｍｅに重畳する（ステップＳ８１）。
【０１６６】
次に、映像信号変換部３０は、変換した第１の映像フォーマットに従うＨＤＲ映像信号を、メタ情報が重畳されたＨＤＭＩ（登録商標）のＩｎｆｏ  Ｆｒａｍｅと共に、表示制御部３１に出力する（ステップＳ８２）。
【０１６７】
以上のように、本実施形態に係る映像信号変換装置２０は、第２の映像フォーマットに従うＨＤＲ映像信号にメタ情報が伴っている場合、メタ情報と共に、第１の映像フォーマットに従うＨＤＲ映像信号を出力し、第２の映像フォーマットに従うＨＤＲ映像信号にメタ情報が伴っていない場合、第２の映像フォーマットに従うＨＤＲ映像信号を出力する。これにより、メタ情報の有無に従って、出力するＨＤＲ映像信号を決定することができる。
【０１６８】
〔ソフトウェアによる実現例〕
映像信号変換装置１および４０の制御ブロック（特に、処理部２の映像信号取得部３、音声信号取得部４、映像信号変換部５、映像信号符号化部６、生成部７、音声信号符号化部８、多重化部９、付加部１０、暗号化部１１、出力部１２および送信部１３）、ならびに、映像信号変換装置２０および５０の制御ブロック（特に、処理部２２の復調部２３、暗号復号部２４、逆多重化部２５、映像信号復号化部２６、音声信号復号化部２７、メタ情報読出部２８、読出部２９および映像信号変換部３０、ならびに、処理部５２のメタ情報取得部５３）は、集積回路（ＩＣチップ）等に形成された論理回路（ハードウェア）によって実現してもよいし、ＣＰＵ（Central Processing Unit）を用いてソフトウェアによって実現してもよい。
【０１６９】
後者の場合、映像信号変換装置１および４０、ならびに映像信号変換装置２０および５０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１７０】
〔まとめ〕
本発明の態様１に係る映像信号変換装置（１または４０）は、第１の映像フォーマットに従う高ダイナミックレンジ映像信号を、第２の映像フォーマットに従う高ダイナミックレンジ映像信号に変換する変換部（５）と、前記第１の映像フォーマットに従う高ダイナミックレンジ映像信号に関連する付帯情報を出力する出力部（１２）と、を備えている。
【０１７１】
上記の構成によれば、第１の映像フォーマットに従うＨＤＲ映像信号を、第２の映像フォーマットに従うＨＤＲ映像信号に変換しても、元の第１の映像フォーマットに従うＨＤＲ映像信号に関連する付帯情報が失われない。
【０１７２】
本発明の態様２に係る映像信号変換装置（１または４０）は、上記態様１において、前記第１の映像フォーマットの輝度方式は、絶対輝度方式であり、前記第２の映像フォーマットの輝度方式は、相対輝度方式であってもよい。
【０１７３】
上記の構成によれば、態様１に係る映像信号変換装置を好適に用いることができる。
【０１７４】
本発明の態様３に係る映像信号変換装置（１または４０）は、上記態様１または２において、前記第１の映像フォーマットに従う高ダイナミックレンジ映像信号から、前記第２の映像フォーマットに従う高ダイナミックレンジ映像信号に変換されたことを示す記述子を、前記第２の映像フォーマットに従う高ダイナミックレンジ映像信号の前記付帯情報として付加する付加部（１０）をさらに備えていてもよい。
【０１７５】
上記の構成によれば、異なる映像フォーマット間で変換されたことを示す記述子が伴ったＨＤＲ映像信号を受信した受信機側において、記述子を読み取ることにより、ＨＤＲ映像信号が何れの映像フォーマットに従うＨＤＲ映像信号から変換されたものであるかを認識することができる。
【０１７６】
本発明の態様４に係る映像信号変換装置（１または４０）は、上記態様１〜３において、前記付帯情報はメタ情報を含み、前記メタ情報は、前記第１の映像フォーマットに従う高ダイナミックレンジ映像信号における、最大輝度値、最小輝度値、平均輝度値、白レベル、およびマスターモニターに関連する情報、のうちの少なくとも１つ以上を含んでもよい。
【０１７７】
上記の構成によれば、メタ情報を受信した受信機側において、ＨＤＲ映像信号を好適に変換することができる。
【０１７８】
本発明の態様５に係る映像信号変換装置（１）は、上記態様１〜４において、前記出力部は、前記変換部が変換した前記第２の映像フォーマットに従う高ダイナミックレンジ映像信号に、前記付帯情報を重畳して出力し、前記出力部が付帯情報を重畳して出力した前記第２の映像フォーマットに従う高ダイナミックレンジ映像信号を送信する送信部（１３）をさらに備えていてもよい。
【０１７９】
上記の構成によれば、第２の映像フォーマットに従う高ダイナミックレンジ映像信号を付帯情報と共に送信することができるため、別の伝送経路を必要としない。
【０１８０】
本発明の態様６に係る映像信号変換装置（４０）は、上記態様１〜４において、前記出力部が出力した前記付帯情報を、前記第２の映像フォーマットに従う高ダイナミックレンジ映像信号を送信する伝送経路とは異なる伝送経路にて送信する通信部（４１）をさらに備えていてもよい。
【０１８１】
上記の構成によれば、第２の映像フォーマットに従う高ダイナミックレンジ映像信号を伴わない伝送経路で付帯情報を送信するため、送信する付帯情報の情報量を増加することができる。
【０１８２】
本発明の態様７に係る映像信号変換装置（２０または５０）は、第１の映像フォーマットに従う高ダイナミックレンジ映像信号に関連する付帯情報を取得する取得部（２８または５３）と、前記第１の映像フォーマットに従う高ダイナミックレンジ映像信号から変換された第２の映像フォーマットに従う高ダイナミックレンジ映像信号を、前記付帯情報を参照して、前記第１の映像フォーマットに従う高ダイナミックレンジ映像信号に変換する変換部（３０）と、を備えている。
【０１８３】
上記の構成によれば、第１の映像フォーマットに従うＨＤＲ映像信号から変換された第２の映像フォーマットに従うＨＤＲ映像信号を、元の第１の映像フォーマットに従うＨＤＲ映像信号に変換しても、元の第１の映像フォーマットに従うＨＤＲ映像信号の画質を維持することができる。
【０１８４】
本発明の態様８に係る映像信号変換装置（２０または５０）は、上記態様７において、前記第１の映像フォーマットの輝度方式は、絶対輝度方式であり、前記第２の映像フォーマットの輝度方式は、相対輝度方式であってもよい。
【０１８５】
上記の構成によれば、態様８に係る映像信号変換装置を好適に用いることができる。
【０１８６】
本発明の態様９に係る映像信号変換装置（２０または５０）は、上記態様７または８において、前記第１の映像フォーマットに従う高ダイナミックレンジ映像信号から、前記第２の映像フォーマットに従う高ダイナミックレンジ映像信号に変換されたことを示す記述子を、前記第２の映像フォーマットに従う高ダイナミックレンジ映像信号から読み出す読出部（２９）をさらに備えていてもよい。
【０１８７】
上記の構成によれば、ＨＤＲ映像信号が何れの映像フォーマットに従うＨＤＲ映像信号から変換されたものであるかを認識することができる。
【０１８８】
本発明の態様１０に係る映像信号変換装置（２０または５０）は、上記態様９において、前記読出部が、前記第１の映像フォーマットに従う高ダイナミックレンジ映像信号から変換されたことを示す記述子を、前記第２の映像フォーマットに従う高ダイナミックレンジ映像信号から読み出した場合にのみ、前記変換部は、前記第２の映像フォーマットに従う高ダイナミックレンジ映像信号を、前記付帯情報を参照して、前記第１の映像フォーマットに従う高ダイナミックレンジ映像信号に変換してもよい。
【０１８９】
上記の構成によれば、第１の映像フォーマットに従う高ダイナミックレンジ映像信号から変換された第２の映像フォーマットに従う高ダイナミックレンジ映像信号のみを、元の第１の映像フォーマットに従う高ダイナミックレンジ映像信号に変換することができる。
【０１９０】
本発明の態様１１に係る映像信号変換装置（２０または５０）は、上記態様１０において、前記付帯情報はメタ情報を含み、前記メタ情報は、前記第１の映像フォーマットに従う高ダイナミックレンジ映像信号における、最大輝度値、最小輝度値、平均輝度値、白レベル、およびマスターモニターに関連する情報、のうちの少なくとも１つ以上を含んでもよい。
【０１９１】
上記の構成によれば、取得したメタ情報を参照して、ＨＤＲ映像信号を好適に変換することができる。
【０１９２】
本発明の態様１２に係る映像信号変換装置（２０）は、上記態様７〜１１において、前記第２の映像フォーマットに従う高ダイナミックレンジ映像信号に重畳された前記付帯情報を読み出すメタ情報読出部（２８）をさらに備えていてもよい。
【０１９３】
上記の構成によれば、第２の映像フォーマットに従う高ダイナミックレンジ映像信号を付帯情報と共に取得することができるため、付帯情報を別の伝送経路から取得する必要がない。
【０１９４】
本発明の態様１３に係る映像信号変換装置（５０）は、上記態様７〜１１において、前記第２の映像フォーマットに従う高ダイナミックレンジ映像信号が送信された伝送経路とは異なる伝送経路にて送信された前記付帯情報を受信する通信部（５１）をさらに備えていてもよい。
【０１９５】
上記の構成によれば、第２の映像フォーマットに従う高ダイナミックレンジ映像信号を伴わない伝送経路で付帯情報を受信するため、受信する付帯情報の情報量を増加することができる。
【０１９６】
本発明の態様１４に係るテレビジョン受像機（１００）は、態様７〜１３の何れかに記載の映像信号変換装置を備えている。
【０１９７】
上記の構成によれば、態様７〜１１の何れかに記載の映像信号変換装置と同様の効果を奏する。
【０１９８】
本発明の態様１５に係る映像信号変換方法は、第１の映像フォーマットに従う高ダイナミックレンジ映像信号を、第２の映像フォーマットに従う高ダイナミックレンジ映像信号に変換する変換工程と、前記第１の映像フォーマットに従う高ダイナミックレンジ映像信号に関連する付帯情報を出力する出力工程と、を含んでいる。
【０１９９】
上記の構成によれば、態様１に係る映像信号変換装置と同様の効果を奏する。
【０２００】
本発明の態様１６に係る映像信号変換方法は、第１の映像フォーマットに従う高ダイナミックレンジ映像信号に関連する付帯情報を取得する取得工程と、前記第１の映像フォーマットに従う高ダイナミックレンジ映像信号から変換された第２の映像フォーマットに従う高ダイナミックレンジ映像信号を、前記付帯情報を参照して、前記第１の映像フォーマットに従う高ダイナミックレンジ映像信号に変換する変換工程と、を含んでいる。
【０２０１】
上記の構成によれば、態様７に係る映像信号変換装置と同様の効果を奏する。
【０２０２】
本発明の態様１７に係る映像信号変換システムは、第１の映像フォーマットに従う高ダイナミックレンジ映像信号を、第２の映像フォーマットに従う高ダイナミックレンジ映像信号に変換する変換部（５）と、前記第１の映像フォーマットに従う高ダイナミックレンジ映像信号に関連する付帯情報を出力する出力部（１２）と、を備えている、第１の映像信号変換装置（１または４０）、および、前記第１の映像信号変換装置から、前記第１の映像フォーマットに従う高ダイナミックレンジ映像信号に関連する前記付帯情報を取得する取得部（２８または５３）と、前記第１の映像信号変換装置が変換した前記第２の映像フォーマットに従う高ダイナミックレンジ映像信号を、前記付帯情報を参照して、前記第１の映像フォーマットに従う高ダイナミックレンジ映像信号に変換する変換部（３０）と、を備えている、第２の映像信号変換装置（２０または５０）、を含んでいる。
【０２０３】
上記の構成によれば、送信機側において、第１の映像フォーマットに従うＨＤＲ映像信号を、第２の映像フォーマットに従うＨＤＲ映像信号に変換しても、元の第１の映像フォーマットに従うＨＤＲ映像信号に関連する付帯情報が失われない。また、受信機側において、第１の映像フォーマットに従うＨＤＲ映像信号から変換された第２の映像フォーマットに従うＨＤＲ映像信号を、元の第１の映像フォーマットに従うＨＤＲ映像信号に変換しても、元の第１の映像フォーマットに従うＨＤＲ映像信号の画質を維持することができる。
【０２０４】
本発明の各態様に係る映像信号変換装置は、コンピュータによって実現してもよく、この場合には、コンピュータを上記映像信号変換装置が備える各部（ソフトウェア要素）として動作させることにより上記映像信号変換装置をコンピュータにて実現させる映像信号変換装置の制御プログラム、およびそれを記録したコンピュータ読み取り可能な記録媒体も、本発明の範疇に入る。
【０２０５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０２０６】
１、２０、４０、５０  映像信号変換装置
２、２２、５２  処理部
３  映像信号取得部
４  音声信号取得部
５、３０  映像信号変換部
６  映像信号符号化部
７  生成部
８  音声信号符号化部
９  多重化部
１０  付加部
１１  暗号化部
１２  出力部
１３  送信部
２１  受信部
２３  復調部
２４  暗号復号部
２５  逆多重化部
２６  映像信号復号化部
２７  音声信号復号化部
２８  メタ情報読出部
２９  読出部
３１  表示制御部
４１、５１  通信部
５３  メタ情報取得部
１００  テレビジョン受像機
【図１】
2018012244.tif 000003
【図２】
2018012244.tif 000004
【図３】
2018012244.tif 000005
【図４】
2018012244.tif 000006
【図５】
2018012244.tif 000007
【図６】
2018012244.tif 000008
【図７】
2018012244.tif 000009
【図８】
2018012244.tif 000010
【図９】
2018012244.tif 000011
【図１０】
2018012244.tif 000012
【図１１】
2018012244.tif 000013
【図１２】
2018012244.tif 000014
【図１３】
2018012244.tif 000015
【図１４】
2018012244.tif 000016
【図１５】
2018012244.tif 000017
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
第１の映像フォーマットに従う映像信号を、第２の映像フォーマットに従う映像信号に変換する変換部と、
前記第１の映像フォーマットに従う映像信号に関連する付帯情報を出力する出力部と、を備えていることを特徴とする、映像信号変換装置。
【請求項２】
上記映像信号は、高ダイナミックレンジ映像信号であることを特徴とする、請求項１に記載の映像信号変換装置。
【請求項３】
前記第１の映像フォーマットの輝度方式は、絶対輝度方式であり、
前記第２の映像フォーマットの輝度方式は、相対輝度方式であることを特徴とする、請求項１または２に記載の映像信号変換装置。
【請求項４】
前記第１の映像フォーマットに従う高ダイナミックレンジ映像信号から、前記第２の映像フォーマットに従う高ダイナミックレンジ映像信号に変換されたことを示す記述子を、前記第２の映像フォーマットに従う高ダイナミックレンジ映像信号の前記付帯情報として付加する付加部をさらに備えていることを特徴とする、請求項１〜３の何れか１項に記載の映像信号変換装置。
【請求項５】
前記付帯情報はメタ情報を含み、前記メタ情報は、前記第１の映像フォーマットに従う高ダイナミックレンジ映像信号における、最大輝度値、最小輝度値、平均輝度値、白レベル、およびマスターモニターに関連する情報、のうちの少なくとも１つ以上を含むことを特徴とする、請求項１〜４の何れか１項に記載の映像信号変換装置。
【請求項６】
前記出力部は、前記変換部が変換した前記第２の映像フォーマットに従う高ダイナミックレンジ映像信号に、前記付帯情報を重畳して出力し、
前記出力部が付帯情報を重畳して出力した前記第２の映像フォーマットに従う高ダイナミックレンジ映像信号を送信する送信部をさらに備えていることを特徴とする、請求項１〜５の何れか１項に記載の映像信号変換装置。
【請求項７】
前記出力部が出力した前記付帯情報を、前記第２の映像フォーマットに従う高ダイナミックレンジ映像信号を送信する伝送経路とは異なる伝送経路にて送信する通信部をさらに備えていることを特徴とする、請求項１〜５の何れか１項に記載の映像信号変換装置。
【請求項８】
第１の映像フォーマットに従う映像信号に関連する付帯情報を取得する取得部と、
前記第１の映像フォーマットに従う映像信号から変換された第２の映像フォーマットに従う映像信号を、前記付帯情報を参照して、前記第１の映像フォーマットに従う映像信号に変換する変換部と、を備えていることを特徴とする、映像信号変換装置。
【請求項９】
上記映像信号は、高ダイナミックレンジ映像信号であることを特徴とする、請求項８に記載の映像信号変換装置。
【請求項１０】
前記第１の映像フォーマットの輝度方式は、絶対輝度方式であり、
前記第２の映像フォーマットの輝度方式は、相対輝度方式であることを特徴とする、請求項８または９に記載の映像信号変換装置。
【請求項１１】
前記第１の映像フォーマットに従う高ダイナミックレンジ映像信号から、前記第２の映像フォーマットに従う高ダイナミックレンジ映像信号に変換されたことを示す記述子を、前記第２の映像フォーマットに従う高ダイナミックレンジ映像信号から読み出す読出部をさらに備えていることを特徴とする、請求項８〜１０の何れか１項に記載の映像信号変換装置。
【請求項１２】
前記読出部が、前記第１の映像フォーマットに従う高ダイナミックレンジ映像信号から変換されたことを示す記述子を、前記第２の映像フォーマットに従う高ダイナミックレンジ映像信号から読み出した場合にのみ、前記変換部は、前記第２の映像フォーマットに従う高ダイナミックレンジ映像信号を、前記付帯情報を参照して、前記第１の映像フォーマットに従う高ダイナミックレンジ映像信号に変換することを特徴とする、請求項１１に記載の映像信号変換装置。
【請求項１３】
前記付帯情報はメタ情報を含み、前記メタ情報は、前記第１の映像フォーマットに従う高ダイナミックレンジ映像信号における、最大輝度値、最小輝度値、平均輝度値、白レベル、およびマスターモニターに関連する情報、のうちの少なくとも１つ以上を含むことを特徴とする、請求項８〜１２の何れか１項に記載の映像信号変換装置。
【請求項１４】
前記第２の映像フォーマットに従う高ダイナミックレンジ映像信号に重畳された前記付帯情報を読み出すメタ情報読出部をさらに備えていることを特徴とする、請求項８〜１３の何れか１項に記載の映像信号変換装置。
【請求項１５】
前記第２の映像フォーマットに従う高ダイナミックレンジ映像信号が送信された伝送経路とは異なる伝送経路にて送信された前記付帯情報を受信する通信部をさらに備えていることを特徴とする、請求項８〜１２の何れか１項に記載の映像信号変換装置。
【請求項１６】
請求項８〜１５の何れか１項に記載の映像信号変換装置を備えているテレビジョン受像機。
【請求項１７】
第１の映像フォーマットに従う映像信号を、第２の映像フォーマットに従う映像信号に変換する変換工程と、
前記第１の映像フォーマットに従う映像信号に関連する付帯情報を出力する出力工程と、を含んでいることを特徴とする、映像信号変換方法。
【請求項１８】
第１の映像フォーマットに従う映像信号に関連する付帯情報を取得する取得工程と、
前記第１の映像フォーマットに従う映像信号から変換された第２の映像フォーマットに従う映像信号を、前記付帯情報を参照して、前記第１の映像フォーマットに従う映像信号に変換する変換工程と、を含んでいることを特徴とする、映像信号変換方法。
【請求項１９】
第１の映像フォーマットに従う映像信号を、第２の映像フォーマットに従う映像信号に変換する変換部と、
前記第１の映像フォーマットに従う映像信号に関連する付帯情報を出力する出力部と、を備えている、第１の映像信号変換装置、および、
前記第１の映像信号変換装置から、前記第１の映像フォーマットに従う映像信号に関連する前記付帯情報を取得する取得部と、
前記第１の映像信号変換装置が変換した前記第２の映像フォーマットに従う映像信号を、前記付帯情報を参照して、前記第１の映像フォーマットに従う映像信号に変換する変換部と、を備えている、第２の映像信号変換装置、を含んでいることを特徴とする、映像信号変換システム。
【請求項２０】
請求項１に記載の映像信号変換装置としてコンピュータを機能させるための制御プログラムであって、前記変換部および前記出力部としてコンピュータを機能させるための制御プログラム。
【請求項２１】
請求項８に記載の映像信号変換装置としてコンピュータを機能させるための制御プログラムであって、前記取得部および前記変換部としてコンピュータを機能させるための制御プログラム。
【請求項２２】
請求項２０または２１に記載の制御プログラムを記録したコンピュータ読み取り可能な記録媒体。
【手続補正２】
【補正対象書類名】明細書
【補正対象項目名】００１４
【補正方法】変更
【補正の内容】
【００１４】
【図１】本発明の映像信号変換装置システムの概略を説明するための図である。
【図２】本発明の実施形態１に係る映像信号変換装置１の構成を示すブロック図である。
【図３】本発明の実施形態１に係る映像信号変換装置１の映像信号変換方法を説明するフローチャートである。
【図４】（ａ）は、ＭＨ−ＥＩＴの一例を示す図である。（ｂ）は、ＭＨ−ＥＩＴの別の例を示す図である。
【図５】本発明の実施形態１に係る映像信号変換装置２０の構成を示すブロック図である。
【図６】本発明の実施形態１に係る映像信号変換装置２０を備えたテレビジョン受像機１００の外観を示す図である。
【図７】本発明の実施形態１に係る映像信号変換装置２０の映像信号変換方法を説明するフローチャートである。
【図８】ＣＥＡ８６１．３で規定されている記述子を示す表である。
【図９】本発明の実施形態１の変形例２に係る映像信号変換装置２０の映像信号変換方法を説明するフローチャートである。
【図１０】本発明の実施形態１の変形例３に係る映像信号変換装置２０の映像信号変換方法を説明するフローチャートである。
【図１１】本発明の実施形態２に係る映像信号変換装置４０の構成を示すブロック図である。
【図１２】本発明の実施形態２に係る映像信号変換装置４０の映像信号変換方法を説明するフローチャートである。
【図１３】本発明の実施形態２に係る映像信号変換装置５０の構成を示すブロック図である。
【図１４】本発明の実施形態２に係る映像信号変換装置５０の映像信号変換方法を説明するフローチャートである。
【図１５】本発明の実施形態３に係る映像信号変換装置２０の映像信号変換方法を説明するフローチャートである。
【手続補正３】
【補正対象書類名】明細書
【補正対象項目名】００１７
【補正方法】変更
【補正の内容】
【００１７】
図１の（ａ）が示すように、放送局において、輝度方式がＰＱ方式であるＨＤＲ映像信号（例えば、ＳＭＰＴＥ  ＳＴ  ２０８４の映像フォーマットに従う映像信号）は、当該ＨＤＲ映像信号に関連した付帯情報であるマスターディスプレイ情報、最大輝度、平均輝度および基準白等のメタ情報（例えば、ＳＭＰＴＥ  ＳＴ  ２０８６で規定されているメタ情報）を有している。そして、当該ＨＤＲ映像信号をＰＱ方式のＥＯＴＦによってディスプレイライト情報に変換し、当該ディスプレイライト情報をＨＬＧ方式のＥＯＴＦ−１によってＨＬＧ方式のＨＤＲ映像信号に逆変換する過程で、上述の付帯情報は失われてしまう。
【手続補正４】
【補正対象書類名】明細書
【補正対象項目名】００１９
【補正方法】変更
【補正の内容】
【００１９】
なお、本明細書における第１の映像フォーマットに従うＨＤＲ映像信号に関連する「付帯情報」は、第１の映像フォーマットに従うＨＤＲ映像信号に関連する「メタ情報」を含む。より具体的には、「メタ情報」は、第１の映像フォーマットに従う高ダイナミックレンジ映像信号における、最大輝度値、最小輝度値、平均輝度値、白レベル、およびマスターモニターに関連する情報、のうちの少なくとも１つを含む。そして、以下の各実施形態では、「付帯情報」が「メタ情報」である場合の例を示す。
【手続補正５】
【補正対象書類名】明細書
【補正対象項目名】００３５
【補正方法】変更
【補正の内容】
【００３５】
まず、映像信号取得部３は、第１の映像フォーマットに従うＨＤＲ映像信号を取得する（ステップＳ０）。ここで、本実施形態では、第１の映像フォーマットは、輝度方式がＰＱ方式である映像フォーマットであり、後述する第２の映像フォーマットは、輝度方式がＨＬＧ方式である映像フォーマットである。第１の映像フォーマットの例として、ＳＭＰＴＥ  ＳＴ  ２０８４を挙げることができる。輝度方式がＨＬＧ方式である映像フォーマットの例としては、ＡＲＩＢ  ＳＴＤ−Ｂ６７等が挙げられる。しかし、第１の映像フォーマットおよび第２の映像フォーマット、ならびに第１の映像フォーマットの輝度方式および第２の映像フォーマットの輝度方式は、これらの例に限定されることはなく、任意の映像フォーマット、および任意の輝度方式であり得る。
【手続補正６】
【補正対象書類名】明細書
【補正対象項目名】００４４
【補正方法】変更
【補正の内容】
【００４４】
（メタ情報の例）
映像信号取得部３が第１の映像フォーマットに従うＨＤＲ映像信号から抽出するメタ情報のフォーマットの例として、ＳＭＰＴＥ  ＳＴ  ２０８６等を挙げることができる。また、当該メタ情報の例として、ＳＭＰＴＥ  ＳＴ  ２０８６で規定されているメタ情報を下記に示す。
【手続補正７】
【補正対象書類名】明細書
【補正対象項目名】００５１
【補正方法】変更
【補正の内容】
【００５１】
（映像信号変換装置１の変形例）
なお、本実施形態では、映像信号変換装置１は、変換した第２の映像フォーマットに従うＨＤＲ映像信号を、ＭＭＴフォーマットのデータとして出力するが、映像信号変換装置１が第２の映像フォーマットに従うＨＤＲ映像信号を出力する際のデータのフォーマットは、これに限定されない。例えば、映像信号変換装置１は、変換した第２の映像フォーマットに従うＨＤＲ映像信号を、ＭＰＥＧ２−ＴＳフォーマットのデータとして出力してもよい。
【手続補正８】
【補正対象書類名】明細書
【補正対象項目名】００５５
【補正方法】変更
【補正の内容】
【００５５】
次に、ステップＳ１０において、送信部１３は、出力部１２が出力した暗号化されたＭＰＥＧ２−ＴＳフォーマットのデータを放送波として送信する。
【手続補正９】
【補正対象書類名】明細書
【補正対象項目名】００５６
【補正方法】変更
【補正の内容】
【００５６】
（映像信号変換装置１の変形例における、第１の映像フォーマットに従うＨＤＲ映像信号から第２の映像フォーマットに従うＨＤＲ映像信号に変換されたことを示す記述子の例）
また、映像信号変換装置１の変形例に記載したように、映像信号変換装置１が、変換した第２の映像フォーマットに従うＨＤＲ映像信号を、ＭＰＥＧ２−ＴＳフォーマットのデータとして出力する場合における、第１の映像フォーマットに従うＨＤＲ映像信号から第２の映像フォーマットに従うＨＤＲ映像信号に変換されたことを示す記述子の例を以下に示す。
【手続補正１０】
【補正対象書類名】明細書
【補正対象項目名】００５７
【補正方法】変更
【補正の内容】
【００５７】
第１の映像フォーマットに従うＨＤＲ映像信号から第２の映像フォーマットに従うＨＤＲ映像信号に変換されたことを示す記述子として、例えば、ＡＲＩＢ  ＳＴＤ−Ｂ１０で規定されているビデオデコードコントロール記述子を用いる。当該ビデオデコードコントロール記述子は、ＰＭＴ（Program Mapped Table）に記載される。ビデオデコードコントロール記述子を下記に示す。
ｖｉｄｅｏ＿ｄｅｃｏｄｅ＿ｃｏｎｔｒｏｌ＿ｄｅｓｃｒｉｐｔｏｒ（）｛
ｄｅｓｃｒｉｐｔｏｒ＿ｔａｇ
ｄｅｓｃｒｉｐｔｏｒ＿ｌｅｎｇｔｈ
ｓｔｉｌｌ＿ｐｉｃｔｕｒｅ＿ｆｌａｇ
ｓｅｑｕｅｎｃｅ＿ｅｎｄ＿ｃｏｄｅ＿ｆｌａｇ
ｖｉｄｅｏ＿ｅｎｃｏｄｅ＿ｆｏｒｍａｔ
ｔｒａｎｓｆｅｒ＿ｃｈａｒａｃｔｅｒｉｓｔｉｃｓ
｝
ここで、transfer_characteristics（伝達特性）という記述子を用いて、第１の映像フォーマットに従うＨＤＲ映像信号から第２の映像フォーマットに従うＨＤＲ映像信号に変換されたことを示す例を下記に示す。
【手続補正１１】
【補正対象書類名】明細書
【補正対象項目名】００５８
【補正方法】変更
【補正の内容】
【００５８】
００→ＶＵＩのｔｒａｎｓｆｅｒ＿ｃｈａｒａｃｔｅｒｉｓｔｉｃｓ  ＝  １，１１，１４
（Ｒｅｃ．  ＩＴＵ−Ｒ  ＢＴ．７０９−５，ＩＥＣ  ６１９６６−２−４，Ｒｅｃ．  ＩＴＵ−Ｒ  ＢＴ．２０２０）
０１→ＶＵＩのｔｒａｎｓｆｅｒ＿ｃｈａｒａｃｔｅｒｉｓｔｉｃｓ  ＝  １６
（ＳＭＰＴＥ  ＳＴ  ２０８４）
１０→ＶＵＩのｔｒａｎｓｆｅｒ＿ｃｈａｒａｃｔｅｒｉｓｔｉｃｓ  ＝  １８
（ＡＲＩＢ  ＳＴＤ−Ｂ６７）
１１→伝達特性を指定しない
上記の例が示すように、ＶＵＩのtransfer_characteristics＝１、１１および１４が示す映像信号の映像フォーマットは、それぞれ、Ｒｅｃ．  ＩＴＵ−Ｒ  ＢＴ．７０９−５、ＩＥＣ  ６１９６６−２−４、Ｒｅｃ．  ＩＴＵ−Ｒ  ＢＴ．２０２０である。そして、これらの映像フォーマットにおけるビデオデコードコントロール記述子のtransfer_characteristicsに、００の値を割り当てる。そして、その場合、当該００の値を、伝達特性を指定しない場合のtransfer_characteristicsの値として用いてもよい。理由として、上記の各映像フォーマットに従った映像信号に対しては、ＨＤＲに関する処理を行う必要はなく、伝達特性を指定しない場合と同様の処理を実行すればよいからである。
【手続補正１２】
【補正対象書類名】明細書
【補正対象項目名】００６０
【補正方法】変更
【補正の内容】
【００６０】
また、第１の映像フォーマットに従うＨＤＲ映像信号から第２の映像フォーマットに従うＨＤＲ映像信号に変換されたことを示す記述子を別の伝送経路を利用して伝送してもよい。例えば、ビデオデコードコントロール記述子のtransfer_characteristicsが１０の値である場合、映像信号変換装置１は、送信するＨＤＲ映像信号の変換前の映像フォーマットの輝度方式がＰＱであることを示す記述子をＥＩＴまたはハイブリッドキャストの伝送経路によって伝送する。なお、当該記述子は、上述のマスターディスプレイ情報または最大輝度等のメタ情報を示す記述子であってもよい。その場合、受信機側において、メタ情報を示す記述子を認識することにより、受信した映像信号の変換前の映像フォーマットの輝度方式がＰＱであると判断できる。
【手続補正１３】
【補正対象書類名】明細書
【補正対象項目名】００７８
【補正方法】変更
【補正の内容】
【００７８】
まず、受信部２１は、映像信号変換装置１が出力した暗号化されたＭＭＴフォーマットのデータ（暗号化ＭＭＴフォーマットデータ）を受信する（ステップＳ１０’）。
【手続補正１４】
【補正対象書類名】明細書
【補正対象項目名】００９３
【補正方法】変更
【補正の内容】
【００９３】
（映像信号変換装置２０の変形例１）
上記で説明した本実施形態に係る映像信号変換装置２０は、各メタ情報が示すパラメータを、ＨＤＭＩ（登録商標）のＩｎｆｏ  Ｆｒａｍｅに重畳し、第１の映像フォーマットに従うＨＤＲ映像信号を、メタ情報が重畳されたＨＤＭＩ（登録商標）のＩｎｆｏ  Ｆｒａｍｅと共に、表示制御部３１に出力した。しかし、本発明に係る映像信号変換装置２０は、これに限定されない。例えば、映像信号変換装置２０は、上述のメタ情報読出部２８がＭＨ−ＥＩＴから読み出したメタ情報を処理せずに、そのまま表示制御部３１に出力してもよい。また、他の変形例では、映像信号変換装置２０は、表示制御部３１を備えておらず、ＭＨ−ＥＩＴから読みだしたメタ情報、またはＨＤＭＩ（登録商標）のＩｎｆｏ  Ｆｒａｍｅに重畳したメタ情報と共に、第１の映像フォーマットに従うＨＤＲ映像信号を外部の表示装置に出力してもよい。
【手続補正１５】
【補正対象書類名】明細書
【補正対象項目名】００９４
【補正方法】変更
【補正の内容】
【００９４】
（映像信号変換装置２０の変形例２）
なお、本実施形態では、映像信号変換装置２０は、映像信号変換装置１が出力した暗号化されたＭＭＴフォーマットのデータを受信するが、映像信号変換装置２０が受信するデータのフォーマットは、これに限定されない。例えば、映像信号変換装置２０は、映像信号変換装置１が出力した暗号化されたＭＰＥＧ２−ＴＳフォーマットのデータを受信してもよい。下記では、映像信号変換装置２０が、映像信号変換装置１が出力した暗号化されたＭＰＥＧ２−ＴＳフォーマットのデータを受信する変形例を示す。本変形例に係る映像信号変換装置が実行する映像信号変換方法について、図９を参照して説明する。図９は、本変形例に係る映像信号変換装置２０が実行する映像信号変換方法を示すフローチャートである。
【手続補正１６】
【補正対象書類名】明細書
【補正対象項目名】０１０２
【補正方法】変更
【補正の内容】
【０１０２】
本変形例では、第２の映像フォーマットに従うＨＤＲ映像信号が、第１の映像フォーマットに従うＨＤＲ映像信号から変換されたものであるか否かを、読出部２９が判定する方法として、第２の映像フォーマットに従うＨＤＲ映像信号に伴ったＰＭＴ内のtransfer_characteristicsの値を参照して判定する方法を用いる。
【手続補正１７】
【補正対象書類名】明細書
【補正対象項目名】０１０９
【補正方法】変更
【補正の内容】
【０１０９】
（映像信号変換装置２０の変形例３）
本変型例では、映像信号変換装置２０が、映像信号変換装置１が出力した暗号化されたＭＰＥＧ２−ＴＳフォーマットのデータを受信する別の変形例を示す。本変形例に係る映像信号変換装置が実行する映像信号変換方法について、図１０を参照して説明する。図１０は、本変形例に係る映像信号変換装置２０が実行する映像信号変換方法を示すフローチャートである。
【手続補正１８】
【補正対象書類名】明細書
【補正対象項目名】０１１７
【補正方法】変更
【補正の内容】
【０１１７】
本変形例では、第２の映像フォーマットに従うＨＤＲ映像信号が、第１の映像フォーマットに従うＨＤＲ映像信号から変換されたものであるか否かを、読出部２９が判定する方法として、第２の映像フォーマットに従うＨＤＲ映像信号に伴ったＰＭＴ内のtransfer_characteristicsの値を参照して判定する方法を用いる。
【手続補正１９】
【補正対象書類名】明細書
【補正対象項目名】０１２９
【補正方法】変更
【補正の内容】
【０１２９】
（映像信号変換装置４０の動作）
図１２は、本実施形態に係る映像信号変換装置４０の動作を説明するフローチャートである。なお、実施形態１において説明した工程と同様の工程については、その説明を省略する。
【手続補正２０】
【補正対象書類名】図面
【補正対象項目名】図７
【補正方法】変更
【補正の内容】
【図７】
2018012244.tif 000018
【手続補正２１】
【補正対象書類名】図面
【補正対象項目名】図１４
【補正方法】変更
【補正の内容】
【図１４】
2018012244.tif 000019
【国際調査報告】
2018012244.tif 000020
2018012244.tif 000021
2018012244.tif 000022
2018012244.tif 000023